(57)【要約】  無線通信システムにおけるＰＲＢ（ｐｈｙｓｉｃａｌ  ｒｅｓｏｕｒｃｅ  ｂｌｏｃｋ）インデクシングを遂行する方法及び装置が提供される。端末（ＵＥ；ｕｓｅｒ  ｅｑｕｉｐｍｅｎｔ）はＳＳ（ｓｙｎｃｈｒｏｎｉｚａｔｉｏｎ  ｓｉｇｎａｌ）ブロックとシステム帯域幅との間のオフセットに対する情報をＳＳブロックを通じてネットワークから受信し、前記オフセットに対する情報に基づいて前記システム帯域幅に対する前記ＰＲＢインデクシングを遂行する。
2020517181.tif 000002
【特許請求の範囲】
【請求項１】
無線通信システムにおける端末（ＵＥ；ｕｓｅｒ  ｅｑｕｉｐｍｅｎｔ）によるＰＲＢ（ｐｈｙｓｉｃａｌ  ｒｅｓｏｕｒｃｅ  ｂｌｏｃｋ）インデクシングを遂行する方法であって、
ＳＳ（ｓｙｎｃｈｒｏｎｉｚａｔｉｏｎ  ｓｉｇｎａｌ）ブロックとシステム帯域幅との間のオフセットに対する情報をＳＳブロックを通じてネットワークから受信し；及び
前記オフセットに対する情報に基づいて前記システム帯域幅に対する前記ＰＲＢインデクシングを遂行することを含んでなる、方法。
【請求項２】
前記オフセットに対する情報は前記ＳＳブロックの最も低いインデックスのＰＲＢと前記システム帯域幅の最も低いインデックスのＰＲＢとの間のオフセットに対する情報であることを特徴とする、請求項１に記載の方法。
【請求項３】
前記オフセットに対する情報は前記ＳＳブロックの副搬送波０と前記システム帯域幅の副搬送波０との間のオフセットに対する情報であることを特徴とする、請求項１に記載の方法。
【請求項４】
前記オフセットに対する情報は前記ＳＳブロックの中心と前記システム帯域幅の中心との間のオフセットに対する情報であることを特徴とする、請求項１に記載の方法。
【請求項５】
前記ＳＳブロックは前記システム帯域幅に対する情報をさらに含むことを特徴とする、請求項１に記載の方法。
【請求項６】
前記システム帯域幅に対する情報は搬送波が動作している潜在的な最大帯域幅に対する情報を含むことを特徴とする、請求項１に記載の方法。
【請求項７】
前記ＳＳブロックは初期ＵＬ（ｕｐｌｉｎｋ）帯域幅部分（ＢＷＰ；ｂａｎｄｗｉｄｔｈ  ｐａｒｔ）に含まれることを特徴とする、請求項１に記載の方法。
【請求項８】
前記オフセットに対する情報はチャンネルラスター（ｒａｓｔｅｒ）又は同期ラスターの値で表現されることを特徴とする、請求項１に記載の方法。
【請求項９】
前記システム帯域幅に対する前記ＰＲＢインデクシングに基づいて制御信号、データ、又は参照信号（ｒｅｆｅｒｅｎｃｅ  ｓｉｇｎａｌ）のスクランブリング（ｓｃｒａｍｂｌｉｎｇ）が遂行されることを特徴とする、請求項１に記載の方法。
【請求項１０】
前記システム帯域幅に対する前記ＰＲＢインデクシングに基づいて参照信号が生成されることを特徴とする、請求項１に記載の方法。
【請求項１１】
無線通信システムにおける端末（ＵＥ；ｕｓｅｒ  ｅｑｕｉｐｍｅｎｔ）であって、
メモリ；
送受信部；及び
前記メモリ及び前記送受信部と連結されるプロセッサを備えてなり、
前記プロセッサは、
ＳＳ（ｓｙｎｃｈｒｏｎｉｚａｔｉｏｎ  ｓｉｇｎａｌ）ブロックとシステム帯域幅との間のオフセットに対する情報をＳＳブロックを通じてネットワークから受信するように前記送受信部を制御し、及び
前記オフセットに対する情報に基づいて前記システム帯域幅に対する前記ＰＲＢ（ｐｈｙｓｉｃａｌ  ｒｅｓｏｕｒｃｅ  ｂｌｏｃｋ）インデクシングを遂行することを特徴とする、端末。
【請求項１２】
前記オフセットに対する情報は前記ＳＳブロックの最も低いインデックスのＰＲＢと前記システム帯域幅の最も低いインデックスのＰＲＢとの間のオフセットに対する情報であることを特徴とする、請求項１１に記載の端末。
【請求項１３】
前記オフセットに対する情報は前記ＳＳブロックの副搬送波０と前記システム帯域幅の副搬送波０との間のオフセットに対する情報であることを特徴とする、請求項１１に記載の端末。
【請求項１４】
前記オフセットに対する情報は前記ＳＳブロックの中心と前記システム帯域幅の中心との間のオフセットに対する情報であることを特徴とする、請求項１１に記載の端末。
【請求項１５】
前記ＳＳブロックは前記システム帯域幅に対する情報をさらに含むことを特徴とする、請求項１１に記載の端末。
【発明の詳細な説明】
【技術分野】
【０００１】
本発明は無線通信に関し、より詳しくは、無線通信システムにおける初期接続を遂行する方法及び装置に関する。
【背景技術】
【０００２】
３ＧＰＰ  ＬＴＥは、高速パケット通信を可能とするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
より多くの通信機器がより大きな通信容量を要求することにより、既存の無線アクセス技術に比べて改善されたモバイルブロードバンド通信が必要である。また、複数の機器及び事物を接続していつでもどこでも多様なサービスを提供する巨大ＭＴＣ（ｍａｃｈｉｎｅ  ｔｙｐｅ  ｃｏｍｍｕｎｉｃａｔｉｏｎ）も次世代通信において考慮される主要イシューの１つである。さらに、信頼性及び遅延に敏感なサービス／端末（ＵＥ：ｕｓｅｒ  ｅｑｕｉｐｍｅｎｔ）を考慮した通信システム設計が論議されている。このように向上したモバイルブロードバンド通信（ｅＭＢＢ：ｅｎｈａｎｃｅｄ  ｍｏｂｉｌｅ  ｂｒｏａｄｂａｎｄ  ｃｏｍｍｕｎｉｃａｔｉｏｎ）、巨大ＭＴＣ、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎ）などを考慮した次世代無線アクセス技術の導入が論議されており、便宜上、このような新しい技術は新しい無線アクセス技術（ｎｅｗ  ｒａｄｉｏ  ａｃｃｅｓｓ  ｔｅｃｈｎｏｌｏｇｙ（ＲＡＴ）又はＮＲ）と呼ばれることができる。
【０００４】
ミリメートル波（ｍｍＷ）帯域では波長が短くなって同一面積に複数のアンテナが設置されることができる。例えば、３０ＧＨｚ帯域で波長は１ｃｍであり、５×５ｃｍ２のパネルに０．５λ（波長）間隔で２次元配列形態で計１００個のアンテナ要素が設置されることができる。従って、ｍｍＷ帯域では、複数のアンテナ要素を用いてビームフォーミング（ｂｅａｍｆｏｒｍｉｎｇ）利得を向上させてカバレッジを増加させるか、処理量（ｔｈｒｏｕｇｈｐｕｔ）を向上させることができる。
【０００５】
この場合、アンテナ要素別に送信パワー及び位相の調節ができるように送受信部を有すると、周波数リソース別に独立的なビームフォーミングが可能である。しかしながら、１００個余りのアンテナ要素の全てに送受信部を設置すると、コストの側面で実効性が低下する問題がある。従って、１つの送受信部に複数のアンテナ要素をマッピングし、アナログ位相シフタ（ａｎａｌｏｇ  ｐｈａｓｅ  ｓｈｉｆｔｅｒ）でビームの方向を調節する方式が考慮されている。このようなアナログビームフォーミング方式は、全帯域にわたって１つのビーム方向のみを作ることができるため、周波数選択的ビームフォーミングができないという欠点がある。
【０００６】
デジタルビームフォーミングとアナログビームフォーミングの中間形態として、Ｑ個のアンテナ要素より少ない数であるＢ個の送受信部を有するハイブリッドビームフォーミングを考慮することができる。この場合、Ｂ個の送受信部とＱ個のアンテナ要素の接続方式によって異なるが、同時に送信できるビームの方向はＢ個以下に制限される。
【０００７】
ＮＲ固有の特性によって、ＮＲの物理チャンネルの構造及び／又はこれと関連した特徴は既存のＬＴＥと異なることがある。ＮＲの効率よい動作のために、多様な方式が提案できる。
【発明の概要】
【発明が解決しようとする課題】
【０００８】
本発明は、無線通信システムにおける初期接続を遂行する方法及び装置を提供する。本発明は、ＮＲ（ｎｅｗ  ｒａｄｉｏ  ａｃｃｅｓｓ  ｔｅｃｈｎｏｌｏｇｙ）で広帯域動作の場合、サブバンド構成と初期接続手続を議論する。
【課題を解決するための手段】
【０００９】
一態様において、無線通信システムにおける端末（ＵＥ；ｕｓｅｒ  ｅｑｕｉｐｍｅｎｔ）によるＰＲＢ（ｐｈｙｓｉｃａｌ  ｒｅｓｏｕｒｃｅ  ｂｌｏｃｋ）インデクシングを遂行する方法が提供される。前記方法はＳＳ（ｓｙｎｃｈｒｏｎｉｚａｔｉｏｎ  ｓｉｇｎａｌ）ブロックとシステム帯域幅との間のオフセットに対する情報をＳＳブロックを通じてネットワークから受信し、及び前記オフセットに対する情報に基づいて前記システム帯域幅に対する前記ＰＲＢインデクシングを遂行することを含む。
【００１０】
他の態様において、無線通信システムにおける端末（ＵＥ；ｕｓｅｒ  ｅｑｕｉｐｍｅｎｔ）が提供される。前記端末はメモリ、送受信部、及び前記メモリ及び前記送受信部と連結されるプロセッサを含み、前記プロセッサはＳＳ（ｓｙｎｃｈｒｏｎｉｚａｔｉｏｎ  ｓｉｇｎａｌ）ブロックとシステム帯域幅との間のオフセットに対する情報をＳＳブロックを通じてネットワークから受信するように前記送受信部を制御し、及び前記オフセットに対する情報に基づいて前記システム帯域幅に対する前記ＰＲＢ（ｐｈｙｓｉｃａｌ  ｒｅｓｏｕｒｃｅ  ｂｌｏｃｋ）インデクシングを遂行する。
【発明の効果】
【００１１】
ＮＲで端末の初期接続が効率よく遂行できる。
【図面の簡単な説明】
【００１２】
【図１】ＮＧ−ＲＡＮアーキテクチャを示す。
【図２】ＮＲでサブフレーム構造の一例を示す。
【図３】ＳＳブロックの時間−周波数構造を示す。
【図４】ＮＲ搬送波内でシステム帯域幅とＵＥが支援する帯域幅の例示を示す。
【図５】搬送波結合の例示を示す。
【図６】本発明の一実施形態に従ってアンカーサブバンドが他のサブバンドと別個に構成される一例を示す。
【図７】本発明の一実施形態に従って互いに異なるＵＥがＳＳブロックを受信する一例を示す。
【図８】本発明の一実施形態に従うＵＥによるＰＲＢインデクシングを遂行する方法を示す。
【図９】本発明の一実施形態に従うＳＳブロックの受信の一例を示す。
【図１０】本発明の実施形態が具現される無線通信システムを示す。
【図１１】図１０で図示されたＵＥのプロセッサを示す。
【発明を実施するための形態】
【００１３】
以下、本発明はＮＲ（ｎｅｗ  ｒａｄｉｏ  ａｃｃｅｓｓ  ｔｅｃｈｎｏｌｏｇｙ）基盤の無線通信システムを中心として説明される。しかしながら、本発明はこれに制限されず、本発明は以下で説明する同一な特徴を有する他の無線通信システム、例えば３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）／ＬＴＥ−Ａ（ａｄｖａｎｃｅｄ）またはＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）にも適用できる。
【００１４】
５Ｇシステムは、５Ｇ  ＡＮ（ａｃｃｅｓｓ  ｎｅｔｗｏｒｋ）、５Ｇ  ＣＮ（ｃｏｒｅ  ｎｅｔｗｏｒｋ）及び端末（ＵＥ；ｕｓｅｒ  ｅｑｕｉｐｍｅｎｔ）で構成された３ＧＰＰシステムである。ＵＥは、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）などの他の用語と呼ばれることができる。５Ｇ  ＡＮは５Ｇ  ＣＮに連結される非−３ＧＰＰ接続ネットワーク及び／又はＮＧ−ＲＡＮ（ｎｅｗ  ｇｅｎｅｒａｔｉｏｎ  ｒａｄｉｏ  ａｃｃｅｓｓ  ｎｅｔｗｏｒｋ）を含む接続ネットワークである。ＮＧ−ＲＡＮは５Ｇ  ＣＮに連結されるという共通特性を有し、次のオプションのうちの１つ以上を支援する無線接続ネットワークである。
【００１５】
１）独立型ＮＲ（ｎｅｗ  ｒａｄｉｏ）。
【００１６】
２）ＮＲはＥ−ＵＴＲＡ拡張を有するアンカーである。
【００１７】
３）独立型Ｅ−ＵＴＲＡ。
【００１８】
４）Ｅ−ＵＴＲＡはＮＲ拡張を有するアンカーである。
【００１９】
図１は、ＮＧ−ＲＡＮアーキテクチャを示す。図１を参照すると、ＮＧ−ＲＡＮは一つ以上のＮＧ−ＲＡＮノードを含む。ＮＧ−ＲＡＮノードは一つ以上のｇＮＢ及び／又は一つ以上のｎｇ−ｅＮＢを含む。ｇＮＢ／ｎｇ−ｅＮＢは、ＢＳ（ｂａｓｅ  ｓｔａｔｉｏｎ）、アクセスポイント（ａｃｃｅｓｓ  ｐｏｉｎｔ）などの他の用語と呼ばれることができる。ｇＮＢはＵＥに向かってＮＲユーザ平面及び制御平面プロトコル終端を提供する。ｎｇ−ｅＮＢはＵＥに向かってＥ−ＵＴＲＡユーザ平面及び制御平面プロトコル終端を提供する。ｇＮＢとｎｇ−ｅＮＢはＸｎインターフェースを通じて相互連結される。ｇＮＢ及びｎｇ−ｅＮＢはＮＧインターフェースを通じて５Ｇ  ＣＮに連結される。より具体的に、ｇＮＢ及びｎｇ−ｅＮＢはＮＧ−Ｃインターフェースを通じてＡＭＦ（ａｃｃｅｓｓ  ａｎｄ  ｍｏｂｉｌｉｔｙ  ｍａｎａｇｅｍｅｎｔ  ｆｕｎｃｔｉｏｎ）に連結され、ＮＧ−Ｕインターフェースを通じてＵＰＦ（ｕｓｅｒ  ｐｌａｎｅ  ｆｕｎｃｔｉｏｎ）に連結される。
【００２０】
ｇＮＢ及びｎｇ−ｅＮＢは、次の機能を提供する。
【００２１】
−  無線資源管理のための機能：無線ベアラー制御、無線許容制御、連結移動制御、アップリンク及びダウンリンクでＵＥに対する資源の動的割当（スケジューリング）；
【００２２】
−  データのＩＰ（Ｉｎｔｅｒｎｅｔ  ｐｒｏｔｏｃｏｌ）ヘッダ圧縮、暗号化及び無欠性保護；
【００２３】
−  ＵＥにより提供された情報からＡＭＦへのルーティングが決定できない時、ＵＥ付着時、ＡＭＦの選択；
【００２４】
−  ＵＰＦに向かってユーザ平面データをルーティング；
【００２５】
−  ＡＭＦに向かって制御平面情報のルーティング；
【００２６】
−  連結設定及び解除；
【００２７】
−  （ＡＭＦから始まる）ページングメッセージのスケジューリング及び送信；
【００２８】
−  （ＡＭＦまたはＯ＆Ｍ（ｏｐｅｒａｔｉｏｎｓ  ＆  ｍａｉｎｔｅｎａｎｃｅ）から始まる）システム放送情報のスケジューリング及び送信；
【００２９】
−  移動性及びスケジューリングのための測定及び測定報告構成；
【００３０】
−  アップリンクでの送信レベルパケットマーキング；
【００３１】
−  セッション管理；
【００３２】
−  ネットワークスライシングサポート；
【００３３】
−  ＱｏＳ（ｑｕａｌｉｔｙ  ｏｆ  ｓｅｒｖｉｃｅ）流れ管理及びデータ無線ベアラーへのマッピング；
【００３４】
−  ＲＲＣ＿ＩＮＡＣＴＩＶＥ状態にいるＵＥのサポート；
【００３５】
−  ＮＡＳ（ｎｏｎ−ａｃｃｅｓｓ  ｓｔｒａｔｕｍ）メッセージの配布機能；
【００３６】
−  無線接続ネットワーク共有；
【００３７】
−  二重連結；
【００３８】
−  ＮＲとＥ−ＵＴＲＡとの間の緊密な連動。
【００３９】
ＡＭＦは、次の主要機能を提供する。
【００４０】
−  ＮＡＳ信号終端；
【００４１】
−  ＮＡＳ信号セキュリティ；
【００４２】
−  ＡＳセキュリティ統制；
【００４３】
−  ３ＧＰＰアクセスネットワーク間の移動性のためのインターＣＮノードシグナリング；
【００４４】
−  アイドルモードＵＥ到達可能性（ページング再送信の制御及び実行含み）；
【００４５】
−  登録領域管理；
【００４６】
−  システム内及びシステム間移動性サポート；
【００４７】
−  アクセス認証；
【００４８】
−  ローミング権限確認を含んだアクセス権限附与；
【００４９】
−  移動性管理制御（加入及び政策）；
【００５０】
−  ネットワークスライシングサポート；
【００５１】
−  ＳＭＦ（ｓｅｓｓｉｏｎ  ｍａｎａｇｅｍｅｎｔ  ｆｕｎｃｔｉｏｎ）選択。
【００５２】
ＵＰＦは、次の主要機能を提供する。
【００５３】
−  イントラ／インター−ＲＡＴ移動性のためのアンカーポイント（適用可能な場合）；
【００５４】
−  データネットワークに対する相互連結の外部ＰＤＵ（ｐｒｏｔｏｃｏｌ  ｄａｔａ  ｕｎｉｔ）セッションポイント；
【００５５】
−  パケットルーティング及びフォワーディング；
【００５６】
−  パケット検査及び政策規則執行のユーザ平面部分；
【００５７】
−  トラフィック使用報告；
【００５８】
−  データネットワークにトラフィック流れルーティングをサポートするアップリンク分類；
【００５９】
−  マルチホームＰＤＵセッションをサポートするための地点；
【００６０】
−  ユーザ平面に対するＱｏＳ処理（例えば、パケットフィルタリング、ゲーティング、ＵＬ／ＤＬ料金執行）；
【００６１】
−  アップリンクトラフィック検証（ＳＤＦ（ｓｅｒｖｉｃｅ  ｄａｔａ  ｆｌｏｗ）でＱｏＳ流れマッピング）；
【００６２】
−  ダウンリンクパケットバッファリング及びダウンリンクデータ通知トリガー。
【００６３】
ＳＭＦは、次の主要機能を提供する。
【００６４】
−  セッション管理；
【００６５】
−  ＵＥ  ＩＰアドレス割当及び管理；
【００６６】
−  ユーザ平面機能の選択及び制御；
【００６７】
−  トラフィックを適切な対象にルーティングするためにＵＰＦでトラフィック転換構成；
【００６８】
−  政策執行及びＱｏＳの制御平面部分；
【００６９】
−  ダウンリンクデータ通知。
【００７０】
ＮＲでは複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）ヌメロロジー（ｎｕｍｅｒｏｌｏｇｙ）が支援できる。複数のヌメロロジーの各々は互いに異なる副搬送波間隔にマッピングできる。例えば、１５ｋＨｚ、３０ｋＨｚ、６０ｋＨｚ、１２０ｋＨｚ、及び２４０ｋＨｚの多様な副搬送波間隔にマッピングされる複数のヌメロロジーが支援できる。
【００７１】
ＮＲでＤＬ（ｄｏｗｎｌｉｎｋ）転送及びＵＬ（ｕｐｌｉｎｋ）転送は１０ｍｓ長さのフレーム内で構成される。一つのフレームは１ｍｓ長さの１０個のサブフレームで構成される。各フレームは二つの同一なサイズの半フレーム（ｈａｌｆ−ｆｒａｍｅ）に分れて、半フレーム０はサブフレーム０−４で構成され、半フレーム１はサブフレーム５−９で構成される。搬送波上で、ＵＬで一つのフレーム集合があり、ＤＬで一つのフレーム集合がある。
【００７２】
スロットはサブフレーム内で各ヌメロロジー別に構成される。例えば、副搬送波間隔１５ｋＨｚにマッピングされるヌメロロジーで一つのサブフレームは一つのスロットを含む。副搬送波間隔３０ｋＨｚにマッピングされるヌメロロジーで一つのサブフレームは二つのスロットを含む。副搬送波間隔６０ｋＨｚにマッピングされるヌメロロジーで一つのサブフレームは４個のスロットを含む。副搬送波間隔１２０ｋＨｚにマッピングされるヌメロロジーで一つのサブフレームは８個のスロットを含む。副搬送波間隔２４０ｋＨｚにマッピングされるヌメロロジーで一つのサブフレームは１６個のスロットを含む。スロット当たりＯＦＤＭシンボルの個数は１４個に一定に維持できる。サブフレームでのスロットの開始地点は同一なサブフレームでＯＦＤＭシンボルの開始地点と時間上で整列できる。
【００７３】
スロットでＯＦＤＭシンボルはＤＬシンボル、ＵＬシンボル、または流動（ｆｌｅｘｉｂｌｅ）シンボルに分類できる。ＤＬスロットで、ＵＥはＤＬ転送がＤＬシンボルまたは流動シンボルのみで発生することと仮定することができる。ＵＬスロットで、ＵＥはＵＬシンボルまたは流動シンボルのみでＵＬ転送を遂行することができる。
【００７４】
図２は、ＮＲでサブフレーム構造の一例を示す。図２のサブフレーム構造はデータ転送の遅延を最小化するためにＮＲのＴＤＤ（ｔｉｍｅ  ｄｉｖｉｓｉｏｎ  ｄｕｐｌｅｘ）システムで使用できる。図２のサブフレーム構造を自家含みサブフレーム（ｓｅｌｆ−ｃｏｎｔａｉｎｅｄ  ｓｕｂｆｒａｍｅ）構造と称することができる。
【００７５】
図２を参照すると、サブフレームの最初のシンボルはＤＬ制御チャンネルを含み、最後のシンボルはＵＬ制御チャンネルを含む。サブフレームの２番目シンボルから１３番目シンボルまではＤＬデータ転送のために使われることもでき、ＵＬデータ転送のために使われることもできる。このように一つのサブフレーム内でＤＬ転送とＵＬ転送が順次に進行されれば、ＵＥは一つのサブフレーム内でＤＬデータを受信し、ＵＬ  ＨＡＲＱ（ｈｙｂｒｉｄ  ａｕｔｏｍａｔｉｃ  ｒｅｐｅａｔ  ｒｅｑｕｅｓｔ）−ＡＣＫ（ａｃｋｎｏｗｌｅｄｇｅｍｅｎｔ）を転送することができる。結果的に、データ転送エラー発生時にデータ再転送までかかる時間が減ることができ、したがって、最終データ伝達の遅延を最小化することができる。このようなサブフレーム構造で基地局とＵＥが転送モードから受信モードに転換するか、または受信モードから転送モードに転換するためのギャップ（ｇａｐ）が必要でありうる。このためにサブフレーム構造でＤＬからＵＬに転換される時点の一部シンボルがガード区間（ＧＰ；ｇｕａｒｄ  ｐｅｒｉｏｄ）に設定できる。
【００７６】
ＮＲでの物理資源に対して説明する。
【００７７】
アンテナポートは、アンテナポート上でシンボルが運搬されるチャンネルが同一なアンテナポート上で他のシンボルが運搬されるチャンネルから推論できるように定義される。一つのアンテナポート上でシンボルが伝達されるチャンネルの大規模特性が他のアンテナポート上でシンボルが伝達されるチャンネルから推論できれば、二つのアンテナポートはＱＣＬ（ｑｕａｓｉ  ｃｏ−ｌｏｃａｔｅｄ）関係にいるということができる。大規模特性は遅延拡散、ドップラー拡散、ドップラーシフト、平均利得、平均遅延、及び空間受信パラメータのうちの一つ以上を含む。
【００７８】
各ヌメロロジー及び搬送波に対して、複数の副搬送波と複数のＯＦＤＭシンボルで構成される資源グリッドが定義される。資源グリッドは上位階層シグナリングにより指示される特定共通資源ブロックから始まる。アンテナポート別、ヌメロロジー別、及び転送方向（ＤＬまたはＵＬ）別に一つの資源グリッドが存在する。各アンテナポート及び各ヌメロロジー別に、資源グリッド内の各要素は資源要素（ＲＥ；ｒｅｓｏｕｒｃｅ  ｅｌｅｍｅｎｔ）と呼ばれる。
【００７９】
資源ブロック（ＲＢ；ｒｅｓｏｕｒｃｅ  ｂｌｏｃｋ）は周波数領域で１２個の連続した副搬送波として定義される。基準（ｒｅｆｅｒｅｎｃｅ）ＲＢは周波数領域で０から始まって徐々に大きくなる方向にインデクシングされる。基準ＲＢの副搬送波０は全てのヌメロロジーに対して共通である。基準ＲＢのインデックス０の副搬送波は他のＲＢグリッドに対する共通基準点として作用する。共通ＲＢは各ヌメロロジーに対して周波数領域で０から始まって徐々に大きくなる方向にインデクシングされる。各ヌメロロジーでインデックス０の共通ＲＢのインデックス０の副搬送波は基準ＲＢのインデックス０の副搬送波と一致する。物理ＲＢ（ＰＲＢ；ｐｈｙｓｉｃａｌ  ＲＢ）及び仮想（ｖｉｒｔｕａｌ  ＲＢ）は帯域幅部分（ＢＷＰ；ｂａｎｄｗｉｄｔｈ  ｐａｒｔ）内で定義され、ＢＷＰ内で０から始まって徐々に大きくなる方向にインデクシングされる。
【００８０】
ＢＷＰは与えられた搬送波及び与えられたヌメロロジーで、共通ＲＢの連続的な集合から選択されたＰＲＢの連続的な集合として定義される。ＵＥはＤＬで最大４個までのＢＷＰで構成されることができ、一つのＤＬ  ＢＷＰのみ与えられた時点に活性化できる。ＵＥは活性化されたＢＷＰの外ではＰＤＳＣＨ（ｐｈｙｓｉｃａｌ  ｄｏｗｎｌｉｎｋ  ｓｈａｒｅｄ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）、ＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）またはＴＲＳ（ｔｒａｃｋｉｎｇ  ＲＳ）を受信しないことと予想する。また、ＵＥはＵＬで最大４個までのＢＷＰで構成されることができ、一つのＤＬ  ＢＷＰのみ与えられた時点に活性化できる。ＵＥがＳＵＬ（ｓｕｐｐｌｅｍｅｎｔａｌ  ＵＬ）で構成される場合、ＵＥはＳＵＬで最大４個までのＢＷＰで構成されることができ、一つのＤＬ  ＢＷＰのみ与えられた時点に活性化できる。ＵＥは活性化されたＢＷＰの外ではＰＵＳＣＨ（ｐｈｙｓｉｃａｌ  ｕｐｌｉｎｋ  ｓｈａｒｅｄ  ｃｈａｎｎｅｌ）またはＰＵＣＣＨ（ｐｈｙｓｉｃａｌ  ｕｐｌｉｎｋ  ｃｏｎｔｒｏｌ  ｃｈａｎｎｅｌ）を転送できない。
【００８１】
ＮＲでＤＬ転送方式により閉ループ（ｃｌｏｓｅｄ  ｌｏｏｐ）ＤＭ−ＲＳ（ｄｅｍｏｄｕｌａｔｉｏｎ  ＲＳ）基盤の空間多重化がＰＤＳＣＨのために支援される。最大８個及び１２個の直交ＤＬ  ＤＭ−ＲＳポートが各々類型１及び類型２のＤＭ−ＲＳを支援する。ＵＥ当たり最大８個の直交ＤＬ  ＤＭ−ＲＳポートがＳＵ−ＭＩＭＯ（ｓｉｎｇｌｅ−ｕｓｅｒ  ｍｕｌｔｉｐｌｅ−ｉｎｐｕｔ  ｍｕｌｔｉｐｌｅ−ｏｕｔｐｕｔ）に対して支援され、ＵＥ当たり最大４個の直交ＤＬ  ＤＭ−ＲＳポートがＭＵ−ＭＩＭＯ（ｍｕｌｔｉ−ｕｓｅｒ  ＭＩＭＯ）に対して支援される。ＳＵ−ＭＩＭＯコードワードの個数は１−４レイヤ転送に対して一つであり、５−８レイヤ転送に対して二つである。
【００８２】
ＤＭ−ＲＳ及び対応するＰＤＳＣＨは同一なプリコーディング行列を使用して転送され、ＵＥは転送を復調するためにプリコーディング行列を知る必要がない。転送機は転送帯域幅の互いに異なる部分に対して互いに異なるプリコーダ行列を使用することができ、その結果、周波数選択的プリコーディングが発生する。また、ＵＥは同一なプリコーディング行列がプリコーディングＲＢグループ（ＰＲＧ；ｐｒｅｃｏｄｉｎｇ  ＲＢ  ｇｒｏｕｐ））と称されるＰＲＢの集合に亘って使われると仮定することができる。
【００８３】
転送チャンネルのＤＬ物理階層処理は、次の段階で構成される：
【００８４】
−  転送ブロックＣＲＣ（ｃｙｃｌｉｃ  ｒｅｄｕｎｄａｎｃｙ  ｃｈｅｃｋ）付着；
【００８５】
−  コードブロック分割及びコードブロックＣＲＣ添付；
【００８６】
−  チャンネルコーディング：ＬＤＰＣ（ｌｏｗ−ｄｅｎｓｉｔｙ  ｐａｒｉｔｙ−ｃｈｅｃｋ）コーディング；
【００８７】
−  物理階層ハイブリッドＨＡＲＱ処理及びレートマッチング；
【００８８】
−  ビットインターリービング；
【００８９】
−  変調：ＱＰＳＫ（ｑｕａｄｒａｔｕｒｅ  ｐｈａｓｅ  ｓｈｉｆｔ  ｋｅｙｉｎｇ）、１６−ＱＡＭ（ｑｕａｄｒａｔｕｒｅ  ａｍｐｌｉｔｕｄｅ  ｍｏｄｕｌａｔｉｏｎ）、６４−ＱＡＭ、及び２５６−ＱＡＭ；
【００９０】
−  レイヤマッピング及びプリコーディング；
【００９１】
−  割り当てられた資源及びアンテナポートにマッピング。
【００９２】
ＵＥはＤＭ−ＲＳを有する少なくとも一つのシンボルがＰＤＳＣＨがＵＥに転送される各々の階層上に存在すると仮定することができる。ＤＭ−ＲＳシンボルの数及び資源要素マッピングは上位階層により構成される。ＴＲＳは受信機位相追跡を補助するために追加的なシンボル上で転送できる。
【００９３】
ＰＤＣＣＨはＰＤＳＣＨ上のＤＬ転送及びＰＵＳＣＨ上のＵＬ転送をスケジューリングすることに使われる。ＰＤＣＣＨ上のＤＣＩ（ｄｏｗｎｌｉｎｋ  ｃｏｎｔｒｏｌ  ｉｎｆｏｒｍａｔｉｏｎ）は次を含む。
【００９４】
−  少なくともＤＬ−ＳＣＨ（ＤＬ  ｓｈａｒｅｄ  ｃｈａｎｎｅｌ）と関連した変調及びコーディングフォーマット、資源割り当て及びＨＡＲＱ情報を含むＤＬ割り当て；
【００９５】
−  少なくともＵＬ−ＳＣＨ（ＵＬ  ｓｈａｒｅｄ  ｃｈａｎｎｅｌ）と関連した変調及びコーディングフォーマット、資源割り当て及びＨＡＲＱ情報を含むＵＬスケジューリンググラント。
【００９６】
制御チャンネルは制御チャンネル要素の集合により形成され、各々の制御チャンネル要素は資源要素グループの集合で構成される。互いに異なる個数の制御チャンネル要素を集めて制御チャンネルに対する互いに異なるコードレートが実現される。ポーラコーディングはＰＤＣＣＨのために使われる。ＰＤＣＣＨを運搬する各資源要素グループは自身のＤＭ−ＲＳを運搬する。ＱＰＳＫ変調がＰＤＣＣＨに使われる。
【００９７】
図３は、ＳＳブロックの時間−周波数構造を示す。同期信号（ｓｙｎｃｈｒｏｎｉｚａｔｉｏｎ  ｓｉｇｎａｌ）及びＰＢＣＨ（ｐｈｙｓｉｃａｌ  ｂｒｏａｄｃａｓｔ  ｃｈａｎｎｅｌ）ブロック（以下、ＳＳブロック）は各々１シンボル及び１２７副搬送波を占める１次同期信号（ＰＳＳ；ｐｒｉｍａｒｙ  ｓｙｎｃｈｒｏｎｉｚａｔｉｏｎ  ｓｉｇｎａｌ）及び２次同期信号（ＳＳＳ；ｓｅｃｏｎｄａｒｙ  ｓｙｎｃｈｒｏｎｉｚａｔｉｏｎ  ｓｉｇｎａｌ）及び３個のシンボル及び２４０副搬送波に亘ってあるが、一つのシンボル上でＳＳＳのために未使用部分を中間に残したＰＢＣＨで構成される。ＳＳブロックの転送周期はネットワークにより決定されることができ、ＳＳブロックが転送できる時間位置は副搬送波間隔により決定される。
【００９８】
ポーラコーディングはＰＢＣＨに使われる。ＵＥはネットワークがＵＥに互いに異なる副搬送波間隔を構成しない限り、ＳＳブロックのための帯域特定副搬送波間隔を仮定することができる。ＰＢＣＨシンボルは自身の周波数多重化されたＤＭ−ＲＳを運搬する。ＱＰＳＫ変調がＰＢＣＨに使われる。
【００９９】
ＮＲでは、ネットワークが支援する場合、広帯域が使われることができる。またＮＲでは、ネットワークとＵＥが支援する帯域幅が互いに異なることがある。この際、どのようにネットワークとＵＥが転送及び／又は受信を遂行するのかを明確に定義する必要がある。
【０１００】
図４は、ＮＲ搬送波内でシステム帯域幅とＵＥが支援する帯域幅の例示を示す。図４でネットワークが支援する帯域幅をシステム帯域幅と仮定する。しかしながら、必要なシステム帯域幅によって、ネットワークはＮＲ搬送波を結合することができる。また、ＵＥが支援する帯域幅は前述したＢＷＰに対応することができる。図４−（ａ）はシステム帯域幅とＵＥが支援する帯域幅が同一な場合を示す。図４−（ｂ）はシステム帯域幅とＵＥが支援する帯域幅が異なる場合を示す。図４−（ｂ）でＵＥが支援する帯域幅はシステム帯域幅より小さい。または、ＵＥが支援する帯域幅はシステム帯域幅より大きいこともある。図４−（ｃ）は複数のＲＦ（ｒａｄｉｏ  ｆｒｅｑｕｅｎｃｙ）要素を用いてＵＥが広帯域を支援する場合を示す。これによって、システム帯域幅とＵＥが支援する帯域幅が同一でありうる。複数のＲＦ要素は基底帯域（ｂａｓｅｂａｎｄ）要素を共有することができる。または、個別的な基底帯域要素が各ＲＦ要素別に割り当てできる。本明細書は複数のＲＦ要素が基底帯域要素／能力を共有することができると仮定する。これは、ＵＥ能力に依存し得る。
【０１０１】
図５は、搬送波結合の例示を示す。複数のＮＲ搬送波が結合されて一つの搬送波を構成すれば、システム帯域幅が変更されることができ、また中心周波数も変更できる。しかしながら、ＤＣ（ｄｉｒｅｃｔ  ｃｕｒｒｅｎｔ）副搬送波はネットワーク動作によって変更されることもあり、変更されないこともある。ＤＣ副搬送波が変更される場合、ＤＣ副搬送波が適切に処理できるようにＵＥに指示できる。
【０１０２】
以下、本発明の多様な実施形態を説明する。
【０１０３】
１．サブバンド構成
【０１０４】
１次同期信号（ｐｒｉｍａｒｙ  ｓｙｎｃｈｒｏｎｉｚａｔｉｏｎ  ｓｉｇｎａｌ）／２次同期信号（ｓｅｃｏｎｄａｒｙ  ｓｙｎｃｈｒｏｎｉｚａｔｉｏｎ  ｓｉｇｎａｌ）／ＰＢＣＨ（ｐｈｙｓｉｃａｌ  ｂｒｏａｄｃａｓｔ  ｃｈａｎｎｅｌ）を含むＳＳ（ｓｙｎｃｈｒｏｎｉｚａｔｉｏｎ  ｓｉｇｎａｌ）ブロックによって、ＳＳブロックを含むアンカーサブバンドとサブバンドの関係が互いに変わることができる。アンカーサブバンドを配置するために以下のオプションが考慮できる。サブバンドは前述したＢＷＰに対応することができる。アンカーサブバンドは初期（ｉｎｉｔｉａｌ）ＢＷＰのような他の名称と呼ばれることができる。
【０１０５】
（１）オプション１：アンカーサブバンドは決定されたサブバンドのうち、いずれか一つのみに位置することができる。サブバンドサイズはシステム帯域幅に基づいて決定され、アンカーサブバンドはそのうちのいずれか一つのみに位置することができる。例えば、システム帯域幅が４００ＭＨｚであり、サブバンドサイズが１００ＭＨｚと仮定すれば、アンカーサブバンドは４個のサブバンドのうち、いずれか一つに位置することができる。ＳＳブロックは流動的にアンカーサブバンド内のどこでも位置することができる。一方、同一な周波数帯域でネットワークにより支援される互いに異なる帯域幅が存在すれば、互いに異なる帯域幅が整列されることが好ましいことがある。例えば、一つのセルが４＊１００ＭＨｚの帯域幅で動作し、他の一つのセルが４００ＭＨｚの帯域幅で動作しようとする場合、１００ＭＨｚのサブバンドサイズは同一な周波数帯域でセル間の互いに異なる帯域幅を整列することに助けになることができる。但し、このような整列によってＳＳブロックの位置が制限されることがある。
【０１０６】
サブバンド構成は周波数範囲別にまたは周波数帯域別に定義できる。例えば、現在のＬＴＥ周波数帯域がＮＲ周波数帯域にそのまま使われるか、またはＮＲ周波数帯域と共有される場合、サブバンドの個数は一つでありえ、サブバンドサイズはシステム帯域幅と同一でありうる。即ち、サブバンドはＬＴＥ周波数帯域と同一または重なる周波数帯域では支援されないことがある。一方、ＮＲ周波数帯域が一つ以上のＬＴＥ周波数帯域に亘るように再定義される場合、一部のＵＥがシステム帯域幅を支援しないことがある。したがって、ＬＴＥ周波数帯域と同一または重なる周波数帯域でも、ＵＥ最小帯域幅要求事項または一般的なＵＥ  ＲＦ帯域幅によって固定されたサブバンドサイズ（例えば、２０ＭＨｚまたは１０ＭＨｚ）が構成できる。
【０１０７】
このような場合、ＳＳブロックの位置がサブバンドサイズにより制限できる。即ち、一部同期ラスター（ｒａｓｔｅｒ）は同期信号マッピングのために使われないことがある。ＳＳブロックがサブバンドに亘って構成（即ち、一つのサブバンドに全体的に含まれない）されるためである。ＵＥは該当同期ラスターでは同期信号マッピングがないので該当同期ラスターを探す必要がない。
【０１０８】
（２）オプション２：アンカーサブバンドは初期同期化に基づいて構成できる。ＳＳブロックに基づいてＳＳブロックの中心がアンカーサブバンドの中心と仮定することができ、アンカーサブバンドは暗黙的に構成できる。アンカーサブバンドのサイズは予め決定されるか、またはＳＳブロック内のＭＩＢ（ｍａｓｔｅｒ  ｉｎｆｏｒｍａｔｉｏｎ  ｂｌｏｃｋ）により定義できる。この際、ＳＳブロックが転送される周波数が隣り合うセル間に互いに異なる場合、サブバンドは隣り合うセル間に整列されないことがある。また、副搬送波とＲＢグリッドまた整列されないことがある。
【０１０９】
（３）オプション３：アンカーサブバンドは他のサブバンドと別個に構成できる。即ち、サブバンド構成はシステム帯域幅に基づいて構成されるか、または周波数範囲または周波数帯域別に予め構成されることができ、ＳＳブロックが転送されるアンカーサブバンドはこのようなサブバンド構成に連結されないことがある。したがって、ＳＳブロックはどこでも転送されることができ、アンカーサブバンドは他のサブバンドの部分的にまたは完全に重なるように構成できる。
【０１１０】
図６は、本発明の一実施形態に従ってアンカーサブバンドが他のサブバンドと別個に構成される一例を示す。図６を参照すると、ＵＥは３個のサブバンドを支援するように構成される。但し、アンカーサブバンドは構成された３個のサブバンドとは別個に構成される。図６ではアンカーサブバンドがサブバンド１とサブバンド２に亘って構成され、ＳＳブロックはアンカーサブバンドを通じて転送される。
【０１１１】
サブバンドが構成／定義されれば、サブバンドの集合がＵＥにグループ共通的なシグナリングを通じて知られることができる。
【０１１２】
２．ＣＳＳ（ｃｏｍｍｏｎ  ｓｅａｒｃｈ  ｓｐａｃｅ）構成
【０１１３】
一つのＳＳブロック転送のために複数のアナログビームが構成できる。ＳＳブロックを検出した後、ＵＥは制御チャンネル転送のためにＳＳブロックから検出されたビームの最適の組合せが使われることと仮定する。ＳＳブロックから検出されたビームの最も良い組合せは広いビーム（ｗｉｄｅ  ｂｅａｍ）と呼ばれることができる。広いビーム内に複数のビームがありうるので、互いに異なるビームを通じて同一な情報が転送できる。例えば、ＵＥがＳＳブロック内のビームの個数を知って、またＵＥが広いビーム内の複数のビームで最適のビームを検出すれば、ＵＥは最適のビームのみをモニターすることで、制御チャンネルモニタリングのための電力消費を最小化することができる。ネットワークが最適のビームに対する情報を獲得すれば、ネットワークは該当情報に基づいてＣＳＳ及び／又はＵＳＳ（ＵＥ−ｓｐｅｃｉｆｉｃ  ｓｅａｒｃｈ  ｓｐａｃｅ）及び／又はグループ共通ＳＳを構成することができる。即ち、ネットワークは該当情報に基づいて制御チャンネルのためのＱＣＬ関係にいるＣＳＩ−ＲＳ資源を定義することができる。即ち、ＣＳＩ−ＲＳ構成前に、制御チャンネルモニタリングのためのＳＳブロックが暗黙的にＵＥに構成できる。ＣＳＩ−ＲＳ構成後に、制御チャンネルモニタリングのためのＱＣＬされるＣＳＩ−ＲＳ資源がＵＥに指示できる。
【０１１４】
３．初期接続手続及び構成
【０１１５】
本発明はＮＲの初期接続手続及び構成と関連して、ＰＳＳ／ＳＳＳ／ＰＢＣＨを含むＳＳブロックを受信する方法を説明する。
【０１１６】
図７は、本発明の一実施形態に従って互いに異なるＵＥがＳＳブロックを受信する一例を示す。ＳＳブロックを含む初期ＢＷＰ（または、アンカーサブバンド）はＵＥ手続を基盤として変更できる。図７を参照すると、ＵＥ１が読み取るＳＳブロックを含むＢＷＰ１とＵＥ２が読み取るＳＳブロックを含むＢＷＰが互いに異なり、二つのＢＷＰ全てシステム帯域幅より小さい。二つのＢＷＰの中心はシステム帯域幅の中心から互いに異なるオフセットだけ離れている。
【０１１７】
最小ＳＩ（ｍｉｎｉｍｕｍ  ｓｙｓｔｅｍ  ｉｎｆｏｒｍａｔｉｏｎ（ＳＩ））またはＲＭＳＩ（ｒｅｍａｉｎｉｎｇ  ＳＩ）のためのＣＯＲＥＳＥＴ（ｃｏｎｔｒｏｌ  ｒｅｓｏｕｒｃｅ  ｓｅｔ）がＳＳブロックをカバーしない場合、基本ＢＷＰがＵＥ能力によってＳＳブロックを含むように構成できる。即ち、ＵＥ最小帯域幅がＲＭＳＩ帯域幅とＳＳブロック帯域幅の和より大きく、ＲＭＳＩ  ＣＯＲＥＳＥＴとＳＳブロックがＦＤＭ（ｆｒｅｑｕｅｎｃｙ  ｄｉｖｉｓｉｏｎ  ｍｕｌｔｉｐｌｅｘｉｎｇ）により連続して多重化されれば、初期ＢＷＰはＲＭＳＩ  ＣＯＲＥＳＥＴとＳＳブロック帯域幅を全てカバーすることができる。そうでなければ、初期ＢＷＰはＲＭＳＩ  ＣＯＲＥＳＥＴをカバーすることができる。ネットワークがＵＥが支援する帯域幅を知った以後にＳＳブロックと必要なＲＭＳＩ  ＣＯＲＥＳＥＴ帯域幅を含むことができる基本ＢＷＰをＵＥに再構成することができる。ＵＥがＳＳブロックを読み取ると、ＳＳブロック帯域幅はＵＥ帯域幅と仮定できる。
【０１１８】
ＳＳブロックに含まれるＰＢＣＨは次の情報のうち、少なくとも一つを含むことができる。しかしながら、以下で説明される情報はＰＢＣＨだけでなくＲＭＳＩまたはＵＥ特定シグナリングを通じて転送されることもできる。特に、ＳＣｅｌｌ（ｓｅｃｏｎｄａｒｙ  ｃｅｌｌ）に対しては、次の情報を転送するためにＵＥ特定シグナリングが必要である。
【０１１９】
（１）搬送波帯域幅：
【０１２０】
−  オプション１：ＰＢＣＨを通じて転送されるＭＩＢは搬送波帯域幅に対する情報を含むことができる。搬送波帯域幅に対する情報は３ビットのサイズを有することができる。搬送波帯域幅に対する情報は搬送波帯域幅の集合に対する情報を含むことができる。例えば、６ＧＨｚ以下の帯域幅で、５、２０、４０、８０、１００ＭＨｚが指示されることができ、６ＧＨｚ以上の帯域幅で、１００、２００、４００ＭＨｚが指示できる。ネットワークが支援する実際帯域幅がまた指示できる。または、搬送波帯域幅に対する情報は搬送波が動作している潜在的な最大帯域幅に対する情報を含むことができる。即ち、ＵＥは指示された搬送波帯域幅が潜在的な最大帯域幅であるので、システム帯域幅に対する如何なる仮定もする必要がない。また、未来の上位互換性のために、幾つの状態及び／又は留保されたフィールドが使用できる。留保されたフィールドは追加的な最大システム帯域幅を指示することができ、未来ＵＥは最初搬送波帯域幅と留保されたフィールドによって指示される追加最大システム帯域幅の和を最大システム帯域幅と仮定することができる。
【０１２１】
−  オプション２：ＰＢＣＨを通じて転送されるＭＩＢは搬送波帯域幅に対する情報を含まないことがある。しかしながら、搬送波帯域幅はＲＭＳＩのようなＳＩで指示できる。未来上位互換性のために、一つ以上のフィールドがシステム情報を暗示するために使用できる。流動的なネットワーク帯域幅配置または変更を支援するために、システム帯域幅に対する如何なる情報も指示されないことがある。システム帯域幅に対する情報が指示されなければ、ＰＲＢインデックスは１ＧＨｚまたは４００ＰＲＢのような最大帯域幅に基づいて遂行できる。４００ＰＲＢ以上を支援する未来ＵＥ／ネットワークのために、ＰＲＢインデクシングは０−３９９及び４００−Ｘの二つのグループに分れて遂行できる。共通データ／制御信号は以前リリーズを支援するＵＥと共有される０−３９９のインデックスを有するＰＲＢにスケジューリングできる。他のデータ／制御信号は全てのＰＲＢにスケジューリングできる。ＰＲＢインデクシングは仮想的に最も低い周波数から遂行できる。より大きい副搬送波間隔に対して、最大ＰＲＢの個数は異なることができる。例えば、最大システム帯域幅が４００ＭＨｚの時、１２０ｋＨｚの副搬送波間隔を基盤とすれば、最大ＰＲＢの個数は２７８個であり、２４０ｋＨｚの副搬送波間隔を基盤とすれば、最大ＰＲＢの個数は１３９個である。
【０１２２】
（２）ＳＳブロックの中心とシステム帯域幅の中心との間のオフセット
【０１２３】
ＰＢＣＨを通じて転送されるＭＩＢはＳＳブロックの中心とシステム帯域幅の中心との間のオフセットに対する情報を含むことができる。ＳＳブロックの中心とシステム帯域幅の中心が互いに異なるので、このような情報がＵＥに指示できる。これは搬送波帯域幅に対する情報がＰＢＣＨに含まれるか否かに関わらずＰＢＣＨに含まれることができる。搬送波帯域幅に対する情報がＰＢＣＨに含まれるか、またはＲＭＳＩ帯域幅がＰＢＣＨ帯域幅と同一な場合、ＰＢＣＨはＳＳブロックの中心とシステム帯域幅の中心との間のオフセットに対する情報を含むことができる。一方、システム帯域幅がＲＭＳＩにより指示されるか、またはＲＭＳＩがＰＢＣＨと同一な帯域幅／周波数位置にない場合、ＰＢＣＨはＳＳブロックの中心とシステム帯域幅の中心との間のオフセットに対する情報の代わりにＰＢＣＨまたはＲＭＳＩの中心とシステム帯域幅の中心との間のオフセットに対する情報を含むことができる。また、ＰＲＢインデクシングのために、ＰＢＣＨを通じて転送されるＭＩＢはＳＳブロックの最も低いインデックスのＰＲＢと仮想ＰＲＢ０との間のオフセットに対する情報やはり含むことができる。より具体的に、ＰＢＣＨを通じて転送されるＭＩＢはＳＳブロックの最も低いインデックスの副搬送波（副搬送波０）と共通ＲＢの最も低いインデックスの副搬送波（副搬送波０）との間のオフセットに対する情報を含むことができる。
【０１２４】
ＳＳブロックの中心とシステム帯域幅の中心との間のオフセットに対する情報はチャンネルラスター（または、同期ラスター）に対する値で表現できる。チャンネルラスターを１００ｋＨｚと仮定すれば、次のオプションが考慮できる。
【０１２５】
−  オプション１：６ＧＨｚ以下の周波数帯域で、｛５、２０、４０、８０、１００｝ＭＨｚ帯域幅に対して｛６、８、９、１０、１０｝ビットのチャンネルラスターを使用する。
【０１２６】
−  オプション２：チャンネルラスターを使用した同期ラスター及びオフセットを使用する。
【０１２７】
−  オプション３：副搬送波の個数を使用したＲＢ帯域幅及びオフセットを使用する。二つのＳＳブロックの間のギャップがＰＳＳ／ＳＳＳ／ＰＢＣＨのヌメロロジーを基盤とする複数のＲＢ帯域幅と同一な場合、オフセット関連情報は省略できる。
【０１２８】
チャンネルラスターを２４０ｋＨｚと仮定するか、またはＲＭＳＩ（またはＰＳＳ／ＳＳＳ／ＰＢＣＨ）のために使われるヌメロロジーを基盤とする複数の副搬送波または一つ以上のＲＢ帯域幅が使われれば、次のオプションが考慮できる。
【０１２９】
−  オプション１：｛１００、２００、４００｝ＭＨｚ帯域幅に対して｛９、１０、１１｝ビットのチャンネルラスターを使用する。
【０１３０】
−  オプション２：｛１００、２００、４００｝ＭＨｚ帯域幅に対して｛７、８、９｝ビットの同期ラスター（例えば、１４４０ｋＨｚ）を使用する。
【０１３１】
−  オプション３：副搬送波の個数を使用したＲＢ帯域幅及びオフセットを使用する。二つのＳＳブロックの間のギャップがＰＳＳ／ＳＳＳ／ＰＢＣＨのヌメロロジーを基盤とする複数のＲＢ帯域幅と同一な場合、オフセット関連情報は省略できる。
【０１３２】
または、ＳＳブロックの中心とシステム帯域幅の中心との間のオフセットに対する情報はシステム帯域幅の中心がＳＳブロックの中心より高いか低いかによって、正数（ｐｏｓｉｔｉｖｅ）または負数（ｎｅｇａｔｉｖｅ）で表現できる。
【０１３３】
一方、搬送波帯域幅に対する情報がＰＢＣＨに含まれる場合、ＳＳブロックの中心とシステム帯域幅の中心との間のオフセットに対する情報は搬送波により支援される最大帯域幅を仮定する最大ビットでありうる。
【０１３４】
前述したように、ＳＳブロック及び／又はＲＭＳＩの中心とシステム帯域幅の中心との間のオフセットに対する情報、及び／又はＳＳブロック及び／又はＲＭＳＩの最も低いインデックスのＰＲＢ（または、副搬送波）とシステム帯域幅のＰＲＢ０（または、副搬送波０）との間のオフセットに対する情報がＵＥに指示できる。これによって、ＵＥは自身に構成されたＢＷＰでのＰＲＢインデクシング（即ち、ローカルＰＲＢインデクシング）の他にも、システム帯域幅に亘って共通ＰＲＢインデクシングを遂行することができる。
【０１３５】
前述したローカル／共通ＰＲＢインデクシングの概念が、ＵＥのＢＷＰ内での制御信号／データ／参照信号（ＲＳ；ｒｅｆｅｒｅｎｃｅ  ｓｉｇｎａｌ）のスクランブリング（ｓｃｒａｍｂｌｉｎｇ）及び／又は初期ＣＳＳ上でのＲＳ生成及び／又は共通データスケジューリングに適用できる。即ち、システム帯域幅に対する情報及び／又はＳＳブロックの中心とシステム帯域幅の中心との間のオフセットに対する情報などによりＵＥがシステム帯域幅を知れば、ＵＥのＢＷＰ内での制御信号／データ／ＲＳのスクランブリング及び／又は初期ＣＳＳ上でのＲＳ生成及び／又は共通データスケジューリングはシステム帯域幅及び共通ＰＲＢインデクシングに基づいて遂行できる。これは制御信号／データ／ＲＳのスクランブリング及び／又は初期ＣＳＳ上でのＲＳ生成及び／又は共通データスケジューリングのためのシーケンスがシステム帯域幅の全体ＰＲＢに亘って生成されることを意味する。ＵＥがシステム帯域幅を知ることができなければ、ＵＥのＢＷＰ内での制御信号／データ／ＲＳのスクランブリング及び／又は初期ＣＳＳ上でのＲＳ生成及び／又は共通データスケジューリングは構成された帯域幅（即ち、初期ＢＷＰ）及びローカルＰＲＢインデクシングに基づいて遂行できる。これは制御信号／データ／ＲＳのスクランブリング及び／又は初期ＣＳＳ上でのＲＳ生成及び／又は共通データスケジューリングのためのシーケンスがＢＷＰ内のＰＲＢに亘って生成されることを意味する。
【０１３６】
共通ＰＲＢインデクシングのためのオフセットに対する情報がＲＭＳＩ  ＣＯＲＥＳＥＴでないＲＭＳＩで提供されれば、制御信号／データ／ＲＳのスクランブリング及び／又は初期ＣＳＳ上でのＲＳ生成及び／又は共通データスケジューリングのために共通ＰＲＢインデクシングが使われることができる。ＲＭＳＩ  ＣＯＲＥＳＥＴが他のＲＮＴＩ（ｒａｄｉｏ  ｎｅｔｗｏｒｋ  ｔｅｍｐｏｒａｒｙ  ｉｄｅｎｔｉｆｉｅｒ）モニタリングのために共有される場合、ＲＭＳＩ制御信号／データモニタリングのためにローカルスクランブリング／ＰＲＢインデクシングが使われることができ、他のチャンネル（ｎｏｎ−ＲＭＳＩ制御信号／データ）のモニタリングのためには共通スクランブリング／ＰＲＢインデクシングが使われることができる。
【０１３７】
または、チャンネル推定の負担を最小化するために、ＣＯＲＥＳＥＴが広帯域と共に構成され、ＲＭＳＩ  ＣＯＲＥＳＥＴが他の転送と共有されれば、常にローカルスクランブリング／ＰＲＢインデクシングが使われることができる。即ち、ＲＳシーケンス関連パラメータ（例えば、長さ、オフセットなど）はＣＯＲＥＳＥＴ別に構成できる。または、このような方法は広帯域が構成される場合のみに適用できる。即ち、ＲＳシーケンス関連パラメータ（例えば、長さ、オフセットなど）は広帯域が構成されれば、ＣＯＲＥＳＥＴ別に明示的に、または暗示的に構成できる。例えば、広帯域が基本に使われる場合、ＲＭＳＩ  ＣＯＲＥＳＥＴに対してローカルスクランブリング／ＰＲＢインデクシングが使われることができる。類似の方式がＲＳシーケンス生成にも適用できる。データに対してＵＥが共通ＰＲＢインデクシングを知るか否かによって互いに異なるＲＳシーケンスが生成／使用できる。例えば、ＲＭＳＩ  ＰＤＳＣＨはローカルＰＲＢインデクシングを基盤とするＲＳシーケンスを使用することができ、他のＰＤＳＣＨは共通ＰＲＢインデクシングを基盤とするＲＳシーケンスを使用することができる。
【０１３８】
または、全ての共通制御信号転送のためにローカルスクランブリング／ＰＲＢインデクシングが使われることができる。共通データ転送のためにローカルスクランブリング／ＰＲＢインデクシングまたは共通スクランブリング／ＰＲＢインデクシングのうち、いずれか一つが使われることができる。グループ共通またはＵＥ特定シグナリングなどの非共通制御信号／データ転送のためには共通スクランブリング／ＰＲＢインデクシングが使われることができる。または、スクランブリング及び／又はＤＭ−ＲＳシーケンス関連パラメータ／構成はＢＷＰ別に遂行されることができ、初期ＤＬ／ＵＬ  ＢＷＰはローカルスクランブリング／ＰＲＢインデクシングを仮定することができる。または、制御信号／データ／ＲＳのスクランブリング及び／又は初期ＣＳＳ上でのＲＳ生成及び／又は共通データスケジューリングは最大システム帯域幅に基づいて遂行できる。これは、未来上位互換性のためのものであって、最大システム帯域幅は周波数帯域または周波数範囲別に定義された実際最大システム帯域幅のＫ倍に定義できる。データスケジューリングのための資源割り当ては構成された帯域幅（即ち、初期ＢＷＰ）に基づいて遂行できる。即ち、システム帯域幅または潜在的な最大システム帯域幅を基盤とする共通ＰＲＢインデクシングに関わらず、データスケジューリングのための資源割り当てはローカルＰＲＢインデクシングに基づいて遂行できる。
【０１３９】
図８は、本発明の一実施形態に従うＵＥによるＰＲＢインデクシングを遂行する方法を示す。前述した本発明が本実施形態に適用できる。
【０１４０】
ステップＳ８００で、ＵＥはＳＳブロックとシステム帯域幅との間のオフセットに対する情報をＳＳブロックを通じてネットワークから受信する。前記オフセットに対する情報は前記ＳＳブロックの最も低いインデックスのＰＲＢと前記システム帯域幅の最も低いインデックスのＰＲＢとの間のオフセットに対する情報でありうる。具体的に、前記オフセットに対する情報は前記ＳＳブロックの副搬送波０と前記システム帯域幅の副搬送波０との間のオフセットに対する情報でありうる。または、前記オフセットに対する情報は前記ＳＳブロックの中心と前記システム帯域幅の中心との間のオフセットに対する情報でありうる。前記ＳＳブロックは前記システム帯域幅に対する情報をさらに含むことができる。前記システム帯域幅に対する情報は搬送波が動作している潜在的な最大帯域幅に対する情報を含むことができる。前記ＳＳブロックは初期ＵＬ  ＢＷＰに含まれることができる。前記オフセットに対する情報はチャンネルラスターまたは同期ラスターの値で表現できる。
【０１４１】
ステップＳ８１０で、ＵＥは前記オフセットに対する情報に基づいて前記システム帯域幅に対する前記ＰＲＢインデクシングを遂行することができる。即ち、ＵＥは共通ＰＲＢインデクシングを遂行することができる。前記システム帯域幅に対する前記ＰＲＢインデクシングに基づいて制御信号、データまたは参照信号のスクランブリングが遂行できる。また、前記システム帯域幅に対する前記ＰＲＢインデクシングに基づいて参照信号が生成できる。
【０１４２】
図９は、本発明の一実施形態に従うＳＳブロックの受信の一例を示す。図９−（ａ）はシステム帯域幅を示し、システム帯域幅に含まれるＰＲＢに対して共通ＰＲＢインデクシングが定義される。システム帯域幅の中心とＳＳブロックの中心は一致せず、これによってＳＳブロックの中心とシステム帯域幅の中心との間のオフセットに対する情報またはＳＳブロックの最も低いインデックスのＰＲＢとシステム帯域幅のＰＲＢ０との間のオフセットに対する情報がＵＥに指示できる。図９−（ａ）でＳＳブロックの中心が同期ラスターである１５ｋＨｚと整列されることを仮定する。図９−（ｂ）はＵＥに構成された帯域幅、即ちＢＷＰを示し、ＢＷＰに含まれるＰＲＢに対してローカルＰＲＢインデクシングが定義される。共通ＰＲＢインデクシングに関わらず、データスケジューリングのための資源割り当てはローカルＰＲＢインデクシングに基づいて遂行できる。
【０１４３】
各制御信号／データに従うＰＲＢインデクシング／スクランブリングは次の通りである。
【０１４４】
（１）セル共通またはＵＥグループ共通制御信号／データ
【０１４５】
−  データ転送のために構成されたＢＷＰ内でＰＲＢインデクシング／スクランブリング
【０１４６】
−  制御信号のためにはＣＯＲＥＳＥＴのために構成されたＢＷＰ内で、データのためにはデータ転送のために構成されたＢＷＰ内でＰＲＢインデクシング／スクランブリング
【０１４７】
−  システム帯域幅または最大帯域幅内でＰＲＢインデクシング／スクランブリング（例えば、共通ＰＲＢインデクシングに基づいて仮想ＰＲＢ）
【０１４８】
−  データ帯域幅（一例に、サブバンドのための帯域幅）と同一であるか、または同一でないように構成されたＢＷＰ内でＰＲＢインデクシング／スクランブリング
【０１４９】
−  制御信号／データのためにシステム帯域幅またはＢＷＰ（例えば、搬送波帯域幅または最大帯域幅）基盤にＰＲＢインデクシング／スクランブリング
【０１５０】
（２）ＵＥ特定制御信号／データ
【０１５１】
−  少なくとも専用参照信号を含むＵＳＳ及びＵＥ特定データのために構成されたＢＷＰ内でＰＲＢインデクシング／スクランブリング
【０１５２】
−  共有参照信号を含む制御信号に対してはシステム帯域幅またはＢＷＰ（例えば、搬送波帯域幅または最大帯域幅）基盤にＰＲＢインデクシング／スクランブリング、残りのためには構成されたＢＷＰ基盤にＰＲＢインデクシング／スクランブリング
【０１５３】
（３）専用参照信号：ＢＷＰまたは割り当てられたＰＲＢに基づいてＰＲＢインデクシング／スクランブリングが遂行できる。非連続的資源割り当ての場合、スクランブリングまたはシーケンス生成は資源割り当ての最初のＰＲＢ及び最後のＰＲＢの間の帯域幅に基づいて遂行できる。または、スクランブリングまたはシーケンス生成はＢＷＰまたは最大システム帯域幅上の共通ＰＲＢインデクシングに基づいて遂行できる。
【０１５４】
（４）共有参照信号：システム帯域幅または共有参照信号を使用するＣＯＲＥＳＥＴまたはＢＷＰに基づいてＰＲＢインデクシング／スクランブリングが遂行できる。または、スクランブリングまたはシーケンス生成はＢＷＰまたは最大システム帯域幅上の共通ＰＲＢインデクシングに基づいて遂行できる。
【０１５５】
（５）残りの参照信号：システム帯域幅または共有参照信号を使用するＣＯＲＥＳＥＴまたはＢＷＰに基づいてＰＲＢインデクシング／スクランブリングが遂行できる。または、スクランブリングまたはシーケンス生成はＢＷＰまたは最大システム帯域幅上の共通ＰＲＢインデクシングに基づいて遂行できる。
【０１５６】
今後の柔軟性及び潜在的な拡張性のために、制御信号／データ／参照信号のシーケンスを中心周波数から始めて最大帯域幅または最大ＰＲＢインデックスまでインデクシングすることが考慮できる。最大ＰＲＢインデックスは予め決定されることもでき、またはＰＢＣＨ／ＳＩＢにより指示されることもできる。最大ＰＲＢインデックスを考慮した時、中心周波数近くのＰＲＢインデックスはｍａｘ＿ＰＲＢ／２付近でありうる。そうでなければ、互いに異なる帯域幅を有するＵＥが制御信号／データ／参照信号のために同一な資源を共有する時に困難でありうる。または、少なくとも共有される制御信号／データ／参照信号に対しては共通スクランブリング／ＰＲＢインデクシングが使われて、ＵＥ特定共有される制御信号／データ／参照信号に対してはローカルスクランブリング／ＰＲＢインデクシングが使われることができる。
【０１５７】
４．搬送波集合（ＣＡ；ｃａｒｒｉｅｒ  ａｇｇｒｅｇａｔｉｏｎ）とＢＷＰの関係
【０１５８】
ＣＡとＢＷＰ構成に対して、二つのオプションが考慮できる。
【０１５９】
（１）搬送波は基本ＢＷＰとして定義され、ＵＥは各搬送波に対して基本ＢＷＰで構成できる。また、基本ＢＷＰに基づいて複数のＢＷＰが構成できる。基本ＢＷＰはＳＳブロックが基準とする搬送波の基本ＢＷＰとして定義できる。例えば、ＳＳブロックまたは時間／周波数同期（荒い（ｃｏａｒｓｅ）同期）が他の搬送波のＳＳブロックで獲得されれば、一つの搬送波の基本ＢＷＰは他の搬送波のＳＳブロックを含むＢＷＰとして定義できる。即ち、ＳＳブロックのような同期基準を含む他の周波数帯域または搬送波のＢＷＰが搬送波の基本ＢＷＰに使われることができる。または、基本ＢＷＰは同一な搬送波内で構成されるＰＲＢの集合として定義できる。基本ＢＷＰはＳＳブロックを含むこともあり、含まないこともある。ＳＳブロックを含まない場合、基本ＢＷＰは時間同期基準を含まなければならず、潜在的にＣＳＩ−ＲＳまたはビーム管理ＲＳまたは他の追跡（ｔｒａｃｋｉｎｇ）ＲＳなどを含むことができる。荒い時間／周波数同期を獲得した以後、ＵＥはビーム管理ＲＳ／追跡ＲＳなどの構成されたＲＳを通じて追加的な追跡を獲得することができる。または、基本不活性化されたＳＣｅｌｌが構成されることができ、ＳＣｅｌｌの構成は構成時に不活性化された基本ＢＷＰの構成でありうる。
【０１６０】
基本ＢＷＰはＳＳブロックの位置に関わらず構成できる。しかしながら、これはＰＣｅｌｌ（ｐｒｉｍａｒｙ  ｃｅｌｌ）と類似するように一部測定関連特徴を制限することができる。また、搬送波の構成にＤＬ及びＵＬ（または、ペアで連結されない（ｕｎｐａｉｒｅｄ）スペクトルの場合、二つのうちの一つ）の周波数位置が含まれることができる。
【０１６１】
基本ＢＷＰの活性化のために、次のオプションが考慮できる。
【０１６２】
−  基本ＢＷＰは搬送波が構成される時、活性化できる。基本ＢＷＰは、ＲＲＭ（ｒａｄｉｏ  ｒｅｓｏｕｒｃｅ  ｍａｎａｇｅｍｅｎｔ）、基本ビーム管理などの測定のために使われることができ、したがって、基本ＢＷＰは搬送波が構成される時、活性化できる。基本ＢＷＰは他の搬送波内のＣＯＲＥＳＥＴと関連できるか、または構成された基本ＢＷＰ内の一つ以上の構成されたＣＯＲＥＳＥＴと関連できる。
【０１６３】
−  基本ＢＷＰがＳＣｅｌｌのために構成される場合、ＵＥは一つ以上のＢＷＰが追加で構成される時、そのうちの一つが自動に活性化されると仮定しないことがある。即ち、ＵＥは構成されたＢＷＰのうちの一つ以上のＢＷＰの活性化に対して明示的に指示を受けることができる。
【０１６４】
−  基本ＢＷＰが一つ以上のＣＯＲＥＳＥＴで構成される場合、各ＣＯＲＥＳＥＴに対するモニタリング区間の周期が互いに異なるように構成できる。より一般的に、与えられたＣＯＲＥＳＥＴに対して互いに異なるモニタリング区間の周期がＤＣＩ（ｄｏｗｎｌｉｎｋ  ｃｏｎｔｒｏｌ  ｉｎｆｏｒｍａｔｉｏｎ）またはＭＡＣ（ｍｅｄｉａ  ａｃｃｅｓｓ  ｃｏｎｔｒｏｌ）ＣＥ（ｃｏｎｔｒｏｌ  ｅｌｅｍｅｎｔ）を通じて指示できる。これによって、如何なる活性ＢＷＰの使用可能の以前、またはＢＷＰが活性化され、搬送波が活性化される以前及び、またはＤＲＸ（ｄｉｓｃｏｎｔｉｎｕｏｕｓ  ｒｅｃｅｐｔｉｏｎ）不活性タイマーと活性タイマーとの間に基本ＢＷＰのために互いに異なるモニタリング区間の周期が支援できる。モニタリング区間の周期が変更されれば、これに対する指示はＢＷＰを変更せず、同一なＤＣＩを通じて転送できる。即ち、ＢＷＰの活性化で与えられたＢＷＰに対して構成されたＢＷＰのモニタリング区間の周期やはり指示できる。または、互いに異なるモニタリング区間の周期を可能にするために別個のＤＣＩが使われることができる。または、ビーム方向を変更するＤＣＩまたはＭＡＣ  ＣＥがＣＯＲＥＳＥＴ関連パラメータを再構成または変更することに使われることができる。即ち、ビーム方向、モニタリング区間の周期、スクランブリングなどを含むＣＯＲＥＳＥＴのためのパラメータの集合を動的に変更するＤＣＩが定義できる。
【０１６５】
（２）搬送波は中心周波数位置または基準周波数位置及びそれから最も低いインデックスのＰＲＢまでのオフセットとして定義され、ＳＣｅｌｌ構成を通じてＵＥに構成できる。また、ＳＣｅｌｌで使われる基準ヌメロロジーが構成されることができ、該当基準ヌメロロジーがオフセットのために使われることができる。追加で、同期化のためのＳＳブロックまたは他の搬送波のＳＳブロックへの基準が構成できる。構成時にＵＥは搬送波が不活性化されていると仮定する。また、ＵＥは複数のＢＷＰで構成されることができ、以後に複数のＢＷＰの間に単一搬送波またはＰＣｅｌｌの転換メカニズムが使われることができる。搬送波内に少なくとも一つのＢＷＰが活性化される時、ＳＣｅｌｌ活性化が遂行されると仮定する。ＳＣｅｌｌとの異なる点は、ある時点に活性化されたＢＷＰがないことがあり、一つ以上のＢＷＰが活性化できるという点である。これと関連して、ＵＥが不活性化されたＳＣｅｌｌでＣＯＲＥＳＥＴをモニターしないので、少なくとも第１のＢＷＰを活性化するようにクロス搬送波スケジューリング（ｃｒｏｓｓ−ｃａｒｒｉｅｒ  ｓｃｈｅｄｕｌｉｎｇ）が必要である。したがって、活性化されたＢＷＰが搬送波内で使用可能な時までクロス搬送波スケジューリングが使われることができ、以後にも同一なクロス搬送波スケジューリングに従うことができる。このような場合、基準周波数位置は、該当搬送波がＳＳブロックを含む場合、ＳＳブロックの周波数位置であるか、またはＵＥが測定のために再調整を試みる仮想または中心周波数位置でありうる。
【０１６６】
追加で、ＵＥは次の情報を構成を受けることができる。
【０１６７】
−  セルＩＤ：セルＩＤはＳＳブロックにより得られることができる。または、基準ＳＳブロックはＳＣｅｌｌのために使われるセルＩＤと異なるセルＩＤを使用することができる。即ち、セルＩＤはＵＥに与えられることができる。荒い時間／周波数同期を得るためにＳＳブロックの位置が使われることができ、ＳＳブロック内で異なるセルＩＤが使われることができる。一例に、他の搬送波内のＳＳブロックを基準に定めるものである。但し、他の搬送波内のＳＳブロックはＵＥの観点であり、ネットワーク観点では相変らず同一な搬送波内のＳＳブロックに見えることがある。
【０１６８】
−  基準点とＰＲＢ０との間のオフセット：ＰＲＢ０は搬送波の実際ＰＲＢ０でないことがある。ＰＲＢ０は搬送波により支援される全てのヌメロロジーが搬送波中心で整列できるように選択できる。即ち、前記オフセットはＰＲＢの観点からＫの倍数でありえ、この際、Ｋ＝ＳＣ＿ｍａｘ／ＳＣ＿０である。ＳＣ＿ｍａｘは搬送波が支援する最大副搬送波間隔であり、ＳＣ＿０はＳＳブロックのヌメロロジーである。ＰＲＢグリッドはＰＲＢ０から構成され、これはＳＳブロックの中心と整列されないことがある。
【０１６９】
−  ＳＣｅｌｌで使われるヌメロロジー：別に指示がない限り、該当ヌメロロジーは制御信号及びデータのために使われることができる。ＳＣｅｌｌは複数のヌメロロジーを支援することができる。この際、基本ヌメロロジーがＳＣｅｌｌ構成を通じて構成されることができ、他のヌメロロジーはＲＲＣシグナリングを通じて追加的に構成できる。
【０１７０】
前記情報を基盤として、セルはセルＩＤ、基準点、ＳＳブロックの基準（または、基準点からの差）、潜在的な最大帯域幅の組合せとして定義できる。
【０１７１】
整理すると、ＣＡとＢＷＰ構成に対して次の３種類のオプションがある。
【０１７２】
（１）第１のオプションに、ＳＣｅｌｌが構成され、ＳＣｅｌｌは不活性化状態を維持することができる。不活性化状態でＳＣｅｌｌは、活性化されたＢＷＰが明示的に指示されるか、またはＳＣｅｌｌが明示的に活性化される以前には、活性化されたＢＷＰを有しないことがある。したがって、ＵＥはＳＣｅｌｌでＣＯＲＥＳＥＴをモニターする必要がない。
【０１７３】
（２）第２のオプションに、基本ＢＷＰが同一搬送波内にＣＯＲＥＳＥＴ構成を含めば、ＳＣｅｌｌは基本ＢＷＰで構成される時に活性化できる。即ち、ＰＣｅｌｌでないセルに対して各基本ＢＷＰ構成別に活性化ＤＣＩを転送することができるＣＯＲＥＳＥＴが構成できる。ＣＯＲＥＳＥＴが同一ＢＷＰ内にあれば、ＵＥは基本ＢＷＰが構成時に活性化されることと見なして、その以後に他のＢＷＰに転換することができる。ＣＯＲＥＳＥＴが他の搬送波内にあれば、ＳＣｅｌｌは不活性化状態を維持し、クロス搬送波またはクロスＢＷＰスケジューリングが該当の他の搬送波のＳＣｅｌｌでＢＷＰの活性化のために使われることができる。
【０１７４】
（３）第３のオプションに、基本ＢＷＰと関連するＣＯＲＥＳＥＴが常に存在しなければならず、したがって、基本ＢＷＰの基本状態は活性化状態でありうる。即ち、ＳＣｅｌｌが活性化される時、自動的に活性化される少なくとも一つのＢＷＰが存在することができ、該当ＢＷＰはＳＣｅｌｌ構成内に関連したＣＯＲＥＳＥＴ構成を含むことができる。該当ＣＯＲＥＳＥＴはＰＣｅｌｌまたは他のＳＣｅｌｌによりクロス搬送波スケジューリングできる。
【０１７５】
基本ＢＷＰがＣＯＲＥＳＥＴで構成されない場合、ＵＥが基本ＢＷＰを再調整する必要がある度に、基本ＢＷＰのための構成／基準ＣＯＲＥＳＥＴは制御チャンネルモニタリングのために使われることができる。
【０１７６】
即ち、基本ＢＷＰのためのＣＯＲＥＳＥＴ構成は次のうちのいずれか一つに従うことができる。
【０１７７】
−  基本ＢＷＰ内に明示的なＣＯＲＥＳＥＴ構成
【０１７８】
−  他の搬送波または他のＢＷＰ内に既に構成されたＣＯＲＥＳＥＴを基準に構成
【０１７９】
−  ＣＯＲＥＳＴに対する如何なる仮定も構成されず、ＰＣｅｌｌ  ＣＳＳまたはＵＳＳがＳＣｅｌｌ内の搬送波またはＢＷＰを使用可能にするためのＣＯＲＥＳＥＴと見なされることができる。
【０１８０】
ＢＷＰの構成は関連したＳＳブロック（与えられない場合、初期接続のためのＳＳブロックと仮定する）または基本ＢＷＰを含むことができる。ＢＷＰ構成は与えられたＢＷＰに対して自家ＢＷＰスケジューリングまたはクロスＢＷＰスケジューリングによりモニタリングできるＣＯＲＥＳＥＴ情報を含むことができる。
【０１８１】
ＳＣｅｌｌ構成で、ＵＥは一つ以上のＢＷＰで構成されることができ、少なくとも一つのＢＷＰは活性化時に自動に活性化される基本ＢＷＰと指示できる。また、ＵＥはＳＣｅｌｌのためのセルＩＤ、基準点、ＳＣｅｌｌインデックス（可能な場合、例えばセル活性化時に）の組合せで構成できる。また、ＵＥは各ＢＷＰに対して別個のＣＯＲＥＳＥＴで構成されるか、または少なくとも基本ＢＷＰに対してＣＯＲＥＳＥＴ構成で構成できる。また、ＵＥはＳＣｅｌｌのための測定対象に対して別個に構成できる。
【０１８２】
ＰＳＣｅｌｌ（ｐｒｉｍａｒｙ  ＳＣｅｌｌ）構成で、ＢＷＰ観点からＳＣｅｌｌ構成と同一な構成が与えられることができる。活性化のために、基本ＢＷＰを構成するよりは、初期接続のための初期ＢＷＰが基本ＢＷＰとして使われることができる。ＰＣｅｌｌからの助け（ａｓｓｉｓｔａｎｃｅ）情報が考慮される場合、基本ＢＷＰやはり指示できる。ＵＥは初期接続が基本ＢＷＰで遂行されると仮定することができる。即ち、ＰＳＣｅｌｌのために基本ＢＷＰが指示されることができ、基本ＢＷＰに初期接続のための助け情報が位置することができる。基本ＢＷＰは同一な搬送波内に関連したＣＯＲＥＳＥＴを有する必要がある。
【０１８３】
ＳＣｅｌｌの活性化のために、次のオプションが考慮できる。
【０１８４】
（１）一つ以上のＳＣｅｌｌの活性化のためのＭＡＣ  ＣＥが使われることができ、基本ＢＷＰは自動に活性化できる。
【０１８５】
（２）構成されたＳＣｅｌｌに対してＳＣｅｌｌ別に一つ以上のＢＷＰの活性化のためのＭＡＣ  ＣＥ活性化が同時に発生できる。ＵＥは少なくとも一つのＢＷＰが活性化されればＳＣｅｌｌが活性化されたと仮定することができる。特定ＳＣｅｌｌでＰＲＡＣＨ（ｐｈｙｓｉｃａｌ  ｒａｎｄｏｍ  ａｃｃｅｓｓ  ｃｈａｎｎｅｌ）転送がないことがあることを勘案すれば、ＳＣｅｌｌは少なくとも一つのＤＬ  ＢＷＰが活性化される時のみに活性化できる。ＰＲＡＣＨ転送が可能な搬送波に対して、少なくとも一つのＵＬ  ＢＷＰが活性搬送波と見なされる以前に活性化される必要がある。
【０１８６】
（３）構成されたＰＣｅｌｌ／ＳＣｅｌｌ内で一つ以上のＢＷＰを活性化するためにスケジューリングＤＣＩが使われることができる。各ＢＷＰ活性化のために別個のスケジューリングＤＣＩが使われることができ、ＢＷＰが属した搬送波に関わらずＢＷＰの間の活性化を許容するためにクロス搬送波またはクロスＢＷＰスケジューリングが構成できる。即ち、例えば、搬送波ｘがＢＷＰ１とＢＷＰ２を有すれば、ＢＷＰ１は搬送波ｙ内のＢＷＰ３により活性化されることができ、ＢＷＰ２は搬送波ｚ内のＢＷＰ４により活性化できる。複数のＢＷＰがあれば、一つ以上のＢＷＰはクロス搬送波またはクロスＢＷＰスケジューリングされることができ、残りのＢＷＰは自家ＢＷＰスケジューリングできる。即ち、別個のクロス搬送波またはクロスＢＷＰスケジューリングが支援できる。
【０１８７】
（４）前記オプション（２）でＭＡＣ  ＣＥの代わりに別個のＤＣＩが使われることができる。
【０１８８】
５．基本ＢＷＰ
【０１８９】
初期接続手続（ＳＳブロック受信、ＲＭＳＩ受信、ＲＡＲ（ｒａｎｄｏｍ  ａｃｃｅｓｓ  ｒｅｓｐｏｎｓｅ）受信など）中に接続されなるＢＷＰは基本ＢＷＰと見なされることができる。ＲＭＳＩ帯域幅はＤＬ基本ＢＷＰと見なされることができる。ＲＡＣＨ帯域幅はＵＬ基本帯域幅と見なされることができる。または、ＵＬ基本帯域幅はＤＬ基本帯域幅（ＴＸ−ＲＸまたはデュプレックスギャップに追加に）と同一でありうる。ＲＡＲまたはＭｓｇ４が受信される周波数位置が再構成されれば、基本ＢＷＰは該当再構成によって自動に変更できる。即ち、ＵＥはＲＡＣＨ手続関連メッセージ／ＣＯＲＥＳＥＴの構成により初期接続手続中に基本ＢＷＰを転換することができる。
【０１９０】
負荷均衡目的のために、連結の以後、基本ＢＷＰを初期ＢＷＰから転換することが考慮できる。しかしながら、アイドル状態のＵＥのページングを支援するために、ＵＥが最初にＳＳブロックを獲得した初期ＢＷＰにフォールバックすることが必要でありうる。または、時間／周波数同期及びＳＳブロック基盤測定のためのＳＳブロックを有するＢＷＰがフォールバックＢＷＰで構成できる。即ち、ＵＥがアイドル状態に転換すれば、基本ＢＷＰは初期ＢＷＰになるか、またはフォールバック目的のための別個のフォールバックＢＷＰが構成できる。または、ＢＷＰはページングの負荷均衡のためにＵＥ別に異なるように構成されることができ、各ＢＷＰはＵＥが初期に接続したＳＳブロックと異なることができるＳＳブロックを含むことができる。ＵＥがＵＥが接続した初期ＳＳブロックと異なるセルＩＤを使用することができるＳＳブロックを含む他のＢＷＰで直接構成されれば、ＵＥは二つのＳＳブロックがＱＣＬされることに維持することができる。即ち、ＵＥがＲＲＣ連結設定またはアイドル状態中に接続された初期ＢＷＰと異なるＢＷＰで再構成されれば、ＵＥは初期接続されたＳＳブロックと再構成されたＳＳブロックが互いにＱＣＬ関係を有すると仮定することができる。または、ＱＣＬ関係が明示的に指示できる。ＵＥは初期接続手続を再獲得または遂行することができ、または新たなＳＳブロックが初期接続されたＳＳブロックとＱＣＬ関係を有しなければ、ハンドオーバーを遂行することもできる。
【０１９１】
初期ＢＷＰはＳＣｅｌｌ活性化と同時に活性化されるように構成できる。測定が活性化の以前に遂行できることを仮定すれば、初期ＢＷＰはＳＣｅｌｌでＳＳブロックと関連しないことがある。
【０１９２】
要約すると、ＲＲＣ連結設定またはアイドル状態で接続される初期ＢＷＰがあり、これはＰＣｅｌｌでＳＳブロックを含むことができる。ＳＣｅｌｌは初期ＢＷＰを有しないことがあり、ＰＳＣｅｌｌは初期ＢＷＰを有する必要がある。初期ＢＷＰは再構成される前までは基本ＢＷＰと見なされることができる。基本ＢＷＰは再構成されることができ、再構成された基本ＢＷＰはＳＳブロックを有しないことがある。再構成された基本ＢＷＰがＳＳブロックを有すれば、ＵＥは次を考慮することができる。
【０１９３】
−  新たなＳＳブロックが初期ＳＳブロックとＱＣＬ関係を有すれば、ＵＥは新たなＳＳブロックに転換することができる。これはＱＣＬ関係の明示的な構成により遂行できる。または、ＵＥが基本ＢＷＰで再構成され、新たな基本ＢＷＰがＳＳブロックを有することと指示されれば、ＵＥは新たなＢＷＰと初期ＢＷＰとの間のＱＣＬ関係があると仮定することができる。
【０１９４】
−  新たなＳＳブロックが初期ＳＳブロックの間にＱＣＬ関係がなければ、ＵＥは両者間のＱＣＬ関係がないことの指示を受けることができ、ＵＥは新たなＳＳブロックに対してのみレートマッチングを遂行することができる。
【０１９５】
−  新たなＢＷＰがＳＳブロックを有しなければ、ＵＥは新たなＢＷｐが初期ＢＷＰまたは以前ＢＷｐとＱＣＬ関係を有することと自動に仮定することができる。
【０１９６】
６．ＢＷＰ及びＳＵＬ搬送波
【０１９７】
ＮＲで、ＤＬ搬送波が互いに異なる帯域にいるＵＬ搬送波と関連できる。このような特徴は次の理由により考慮できる。
【０１９８】
−  ＤＬ搬送波の個数よりＵＬ搬送波の個数が少なく、したがって一つ以上のＤＬ搬送波が同一なＵＬ搬送波に関連できる。
【０１９９】
−  ペアで連結された（ｐａｉｒｅｄ）ＤＬ／ＵＬスペクトルまたはペアで連結されていないＤＬ／ＵＬスペクトルと関連したＳＵＬ搬送波が存在することができる。ＤＬ搬送波はただ一つのＵＬ搬送波（即ち、同一な帯域内のＵＬ搬送波またはＳＵＬ搬送波）のみと関連するか、または二つのＵＬ搬送波と全て関連できる（ＵＬ  ＣＡのように）。この際、ＢＷＰ構成／活性化がより明確に定義される必要がある。
【０２００】
（１）一つ以上のＤＬ搬送波が一つのＵＬ搬送波に関連した場合
【０２０１】
ＵＬ搬送波がペアで連結されたＤＬ／ＵＬスペクトル内でＵＬスペクトルに該当する場合、ＵＬ搬送波の活性化／不活性化は独立的に遂行できる。そうでなければ、ＵＬ搬送波は自動にまたは同一な周波数帯域内のＤＬ搬送波と同時に変更できる。即ち、同一な周波数帯域内のＤＬ搬送波が主搬送波となり、これによってＵＬ  ＢＷＰが変更できる。ＵＬ  ＢＷＰの転換命令は主ＤＬ搬送波のみから伝達できる。即ち、他のＤＬ搬送波は主ＤＬ搬送波でのＵＬ  ＢＷＰの転換命令に従うことができる。しかしながら、これはＵＥがＵＬ  ＢＷＰの転換命令を逃し、他のＤＬ搬送波がＰＵＳＣＨ／ＰＵＣＣＨをスケジュールした時、特に曖昧性が発生することがある。このために、他のＤＬ搬送波でもＵＬ  ＢＷＰを指示することができ、互いに異なるＤＬ搬送波の間でネットワークは同一なＢＷＰを選択することができる。
【０２０２】
セルがＰＵＣＣＨを伝達すれば、ＵＬ  ＢＷＰの変更によってＰＵＣＣＨオフセットが変わることができる。したがって、互いに異なるＤＬ搬送波が互いに異なる時間に互いに異なるＵＬ  ＢＷＰを指示すれば、ＰＵＣＣＨ資源の混乱を引き起こすことがある。例えば、二つのＵＬ  ＢＷＰが構成され、二つのＤＬ搬送波がＵＬ  ＢＷＰの転換を動的に指示することができる時、第１のＤＬ搬送波がＵＬ  ＢＷＰをＵＬ  ＢＷＰ１からＵＬ  ＢＷＰ２に転換することを指示し、ＵＥが該当命令を逃すことがある。この際、第２のＤＬ搬送波がＰＤＳＣＨを転送すれば、どのＰＵＣＣＨ資源が使われるべきかが曖昧である。これは、ＤＬ搬送波とＵＬ搬送波が１対１にマッピングされる場合にも同様である。このために、ネットワークは二つのＰＵＣＣＨ資源を全てモニタリングするか、またはＰＤＳＣＨのためのスケジューリングＤＣＩが資源指示としてＰＵＣＣＨ  ＢＷＰ情報まで含むことができる。即ち、ＰＤＳＣＨのためのスケジューリングＤＣＩがＵＬ  ＢＷＰの転換のために使われることができる。
【０２０３】
また、ＰＵＣＣＨを運ぶＵＬ  ＢＷＰがＨＡＲＱ−ＡＣＫの蓄積（ａｃｃｕｍｕｌａｔｉｏｎ）中に変更される時、更に他の問題が発生することがある。例えば、ＤＬスロットｎからｎ＋ｍは単一ＰＵＣＣＨ資源上のＨＡＲＱ−ＡＣＫにマッピングされることができ、ＰＵＣＣＨを運ぶＵＬ  ＢＷＰがＤＬスロットｎからｎ＋ｍの中間に変更できる。この際、複数のスロット上でＨＡＲＱ−ＡＣＫの蓄積中にＰＵＣＣＨを運ぶＵＬ  ＢＷＰの転換が許容されないことがある。または、複数のスロット上でＨＡＲＱ−ＡＣＫの蓄積中に新たなＰＵＣＣＨのためのＵＬ  ＢＷＰが使われることができ、以前ＵＬ  ＢＷＰのために選択された資源は無視できる。新たなＵＬ  ＢＷＰのためのＤＣＩは新たな資源を含むことができる。
【０２０４】
ＵＥがＵＬ  ＢＷＰの転換命令を逃すことがあるので、このような場合、次のものが考慮できる。まず、同一なＰＵＣＣＨ時間資源（即ち、同一なＰＵＣＣＨ時間資源のうち、ＰＤＳＣＨをスケジューリングするＤＣＩのうち）に対して以前ＤＣＩとは異なるＤＣＩにより互いに異なる資源が選択される場合、新たな資源が選択できる。ＵＥが新たな資源指示を逃せば、従来のＵＬ  ＢＷＰに対する情報が使われることができる。ＵＥがＰＤＳＣＨをスケジューリングするＤＣＩの以後にＵＬ  ＢＷＰの転換命令を受信すれば、該当ＤＣＩ内で指示された資源が新たなＵＬ  ＢＷＰのために使われることができる。または、ＰＵＣＣＨを運ぶＵＬ  ＢＷＰ及び資源は動的に指示できる。この場合、これは新たなＵＬ  ＢＷＰを活性化することにも使われることができる。そして、互いに異なるＵＬ  ＢＷＰを指示するＤＣＩは同一なＰＵＣＣＨに多重化されないことがある。または、いつも新たなＵＬ  ＢＷＰの構成が使われることもできる。
【０２０５】
一方、前述した説明はＤＬ搬送波とＵＬ搬送波が１対１にマッピングされる場合を含む他の場合にも適用できる。
【０２０６】
（２）一つのＤＬ搬送波が関連したＳＵＬ搬送波を有し、ＳＵＬ搬送波とＤＬ搬送波と同一な帯域内のＵＬ搬送波のうち、一つのＵＬ搬送波のみ活性化できる場合
【０２０７】
搬送波転換を効率よく支援するために、各ＵＬ搬送波に対して複数のＢＷＰが構成されることができ、一つのＢＷＰは活性化／不活性化できる。ＢＷＰ構成のために、ＳＵＬ搬送波のための共通ＰＲＢインデクシングが遂行できる。例えば、ＳＵＬ搬送波の中心または基準点に対する情報及びＳＵＬ搬送波の中心または基準点から最も小さなＰＲＢ（仮想ＰＲＢ）の間のオフセットに対する情報が指示されることができ、これに基づいてＳＵＬ搬送波のための共通ＰＲＢインデクシングが遂行できる。ＵＬ  ＢＷＰが変更されれば、ＰＵＣＣＨ資源やはり変更できる。基本ＵＬ  ＢＷＰはＲＡＣＨ手続のために使われるＵＬ  ＢＷＰと仮定できる。基本ＢＷＰは以後に再構成されるか、または他の搬送波または他のＵＬ  ＢＷＰでのＰＲＡＣＨトリガーにより変更できる。各ＵＬ  ＢＷＰに対して、少なくともＰＲＡＣＨトリガーのために使われるＰＲＡＣＨ資源が構成されることができ、トリガーメッセージはＵＬ  ＢＷＰの転換のためのＢＷＰインデックスを含むことができる。ＵＥは以後に新たな初期／基本ＵＬ  ＢＷＰでＲＡＣＨ手続を遂行することができる。即ち、基本ＵＬ  ＢＷＰはＲＡＣＨ手続を基盤として半静的（ｓｅｍｉ−ｓｔａｔｉｃａｌｌｙ）または動的に変更できる。この際、ＳＵＬ搬送波及びＤＬ搬送波と同一な帯域内のＵＬ搬送波で使われるセルＩＤと関連した必要な情報は、あたかもこれらが互いに異なるＢＷＰにいるだけで、同一な搬送波内にあるように同一でありうる。即ち、ＳＵＬ搬送波及びＤＬ搬送波と同一な帯域内のＵＬ搬送波との間のＵＬ  ＢＷＰ転換は、二つのＵＬ搬送波の間での転換のために使われることができる。より強靭なシステム性能を支援するために、ＰＵＣＣＨ搬送波／セルとＰＲＡＣＨ搬送波／セルは同一搬送波内にありうる。即ち、ＵＥがＰＲＡＣＨを遂行し、ＰＵＣＣＨを転送する基本ＵＬ  ＢＷＰは同一なＵＬ搬送波内に構成できる。即ち、少なくともＰＣｅｌｌに対して、ＰＲＡＣＨが転送されない搬送波／セルでＰＵＣＣＨは構成されないことがある。ＳＣｅｌｌの場合、ＰＵＣＣＨは二つのＵＬ搬送波の間に構成できる。
【０２０８】
（３）一つのＤＬ搬送波が関連したＳＵＬ搬送波を有し、ＳＵＬ搬送波とＤＬ搬送波と同一な帯域内のＵＬ搬送波が全て活性化できる場合
【０２０９】
この場合は、単一ＤＬ搬送波またはＤＬ  ＣＡを含むＵＬ  ＣＡと見なされることができる。この際、ＵＬ搬送波の活性化のみ支援される必要があり、ＵＬ搬送波の活性化は搬送波活性化／不活性化により遂行できる。互いに異なる搬送波はＤＬ搬送波のみを含むか、ＵＬ搬送波のみを含むか、またはペアで連結されたＤＬ／ＵＬ搬送波を含むことができる。ＳＵＬ搬送波でＰＲＡＣＨ転送を支援するために、搬送波活性化時に、ペアで連結されたＤＬ／ＵＬ搬送波及びＵＬ専用搬送波が活性化できる。ペアで連結されたＤＬ／ＵＬ搬送波及びＵＬ専用搬送波内に少なくとも一つの活性化されたＵＬ  ＢＷＰが構成できる。ペアで連結されたＤＬ／ＵＬ搬送波はペアで連結されたスペクトルを意味しない。ペアで連結されないスペクトルの場合、ペアで連結されたＤＬ／ＵＬ搬送波は同一な周波数に位置する。活性化の以後、ＵＥはＳＵＬ搬送波でＰＲＡＣＨを転送することができる。ＰＣｅｌｌでは、ＵＥがＳＵＬ搬送波でＰＲＡＣＨの転送を開始すれば、ペアで連結されたＵＬ搬送波と共にＳＵＬ搬送波が自動に活性化できる。または、搬送波活性化時に、二つのＵＬ搬送波のうち、いずれか一つが選択されることができ、活性化メッセージにより選択されたＵＬ搬送波のみ活性化できる。以後に、明示的な指示により、追加的なＵＬ搬送波が活性化できる。ＰＣｅｌｌでは、これはＰＲＡＣＨ転送が開始されるＵＬ  ＢＷＰを含むＵＬ搬送波が活性化されたＵＬ搬送波であることを意味することができる。または、搬送波活性化時に、ＳＵＬ搬送波及び非−ＳＵＬ搬送波のためのＰＲＡＣＨ構成が与えられれば、ＵＬ  ＢＷＰはＳＵＬ搬送波及び非−ＳＵＬ搬送波で全て活性化できる。以上の手続はＰＣｅｌｌで初期ＵＬ  ＢＷＰに対して適用できる。
【０２１０】
ＰＲＡＣＨが転送されるただ一つのＵＬ搬送波のみ活性化される場合（即ち、前記の第２の場合）、ＰＵＣＣＨを転送するＵＬ搬送波とＰＲＡＣＨを転送するＵＬ搬送波と異なるように構成されれば、ＰＵＣＣＨ搬送波構成で、ネットワークはＰＵＣＣＨ転送のために活性化されるＵＬ  ＢＷＰを指示することができる。ＰＵＣＣＨ搬送波構成で指示されたＵＬ  ＢＷＰが活性化できる。または、ＰＵＣＣＨを転送するＵＬ搬送波とＰＲＡＣＨを転送するＵＬ搬送波と異なるように構成されれば、ＰＵＣＣＨ搬送波構成で、ＲＭＳＩまたは上位階層により構成された初期ＵＬ  ＢＷＰが活性化できる。活性化されたＵＬ  ＢＷＰはＲＲＣ再構成またはＤＣＩ変換により変更できる。
【０２１１】
ペアで連結されていないＤＬ／ＵＬ搬送波及びＳＵＬ搬送波が一つのセルで構成されれば、ＳＵＬ搬送波のためのＢＷＰ変換はＳＵＬ搬送波のためのＵＬグラントを通じて遂行できる。動的ＰＵＳＣＨ変更が構成されず、ＳＵＬ搬送波がＰＵＣＣＨ搬送波に選択されれば、ペアで連結されていないＤＬ／ＵＬ搬送波に対してＢＷＰペアに関わらず、ただＤＬ  ＢＷＰ変換のみ可能でありうる。
【０２１２】
ＵＬ  ＢＷＰが適応される時、ＰＵＣＣＨ資源やはり適応されるべきか否かが明確に定義される必要がある。このために、次のものが考慮できる。
【０２１３】
−  ＰＵＣＣＨを運ぶＵＬ  ＢＷＰはいつもＵＬ  ＢＷＰ構成に基づいて構成できる。初期／基本ＵＬ  ＢＷＰを含むＵＬ  ＢＷＰに対して複数のＵＬ  ＢＷＰ構成が提供される場合、互いに異なるＰＵＣＣＨ資源は互いに異なるＵＬ  ＢＷＰ構成別に構成できる。これはＤＬ  ＢＷＰでＣＯＲＥＳＥＴが各ＤＬ  ＢＷＰ別に構成できることと類似している。
【０２１４】
−  ＰＵＣＣＨを運ぶＵＬ  ＢＷＰはいつもＰＵＳＣＨを運ぶＵＬ  ＢＷＰと別個に構成されることができ、ＵＥはＰＵＣＣＨを運ぶＵＬ  ＢＷＰとＰＵＳＣＨを運ぶＵＬ  ＢＷＰを含む全帯域幅がＵＥの能力内にあることを確信することができる。したがって、ＵＥはＰＵＳＣＨを運ぶＵＬ  ＢＷＰを転換するように構成／指示されることができ、これはＰＵＣＣＨ資源の転換を要求しないことがある。これは現在ＣＡで支援され、ＵＥはＰＵＣＣＨ資源を有しないＳＣｅｌｌでＵＬ  ＢＷＰで構成され、ＰＵＣＣＨはＰＣｅｌｌから転送される。類似するように、ＰＣｅｌｌではＰＵＣＣＨとＰＵＳＣＨが互いに異なるＵＬ  ＢＷＰで構成できる。このような場合、活性化されたＵＬ  ＢＷＰはＰＵＣＣＨを運ぶＵＬ  ＢＷＰの代わりにＰＵＳＣＨを運ぶＵＬ  ＢＷＰとして定義できる。
【０２１５】
−  各ＵＬ  ＢＷＰがＰＵＣＣＨのみを含むことか、ＰＵＳＣＨのみを含むことか、ＰＵＣＣＨとＰＵＳＣＨのみを含むことか、ＰＵＳＣＨ／ＰＲＡＣＨ／ＳＲＳ（ｓｏｕｎｄｉｎｇ  ｒｅｆｅｒｅｎｃｅ  ｓｉｇｎａｌ）のみを含むことか、ＰＵＣＣＨ／ＰＵＳＣＨ／ＰＲＡＣＨ／ＳＲＳ全てを含むことかも構成できる。即ち、構成されたＵＬ  ＢＷＰ内でどの信号が転送されるかが構成されることができ、複数のＢＷＰが構成できる。
【０２１６】
−  ＰＵＣＣＨ／ＰＵＳＣＨ転送のために使われることができるＵＬ  ＢＷＰを構成するものだけでなく、資源割り当てにより接近可能なＰＲＢの集合やはり構成できる。例えば、一つのＵＬ  ＢＷＰがＰＵＣＣＨ多様性（ｄｉｖｅｒｓｉｔｙ）のために２０ＭＨｚで構成されることができ、スケジューリングはただ５ＭＨｚ内のみで発生できる。スケジューリングオーバーヘッドを減らすために、ＰＵＳＣＨ  ＰＲＢ領域を別個に構成することが考慮できる。
【０２１７】
前述した説明で提案されたシグナリングはＲＭＳＩ／ＯＳＩ（ｏｎ−ｄｅｍａｎｄ  ＳＩ）などの共通シグナリングまたはＵＥ特定シグナリング及び／又はＤＣＩなどにより転送できる。場合によって、互いに異なるシグナリングが使われることができる。特に、セルがどのように定義されるかによって互いに異なるシグナリングが使われることができる。
【０２１８】
７．ＢＷＰ再構成
【０２１９】
ＵＥがただ一つのＢＷＰのみを支援するか、またはＵＥがＲＲＣを通じて再構成される場合、ＲＲＣ曖昧性が発生することがある。ＲＲＣ曖昧性を最小化するために、次の事項が考慮できる。
【０２２０】
（１）ＢＷＰを変更するためにＲＲＣメッセージを転送する場合、該当ＲＲＣメッセージはＤＬ  ＢＷＰ及びＵＬ  ＢＷＰを全て含むことができ、構成が施行される施行時点も含むことができる。施行時点の以前に、ネットワークは信頼性を高めるために再転送を遂行することができる。
【０２２１】
（２）曖昧性を最小化するために、ネットワークは新たな構成がＵＥから承認を受けた以後に施行されると見なすことができる。この場合、ネットワークが承認を逃せば、曖昧性を引き起こすことがある。ネットワークは信頼性を高めるために以前ＢＷＰ及び現在活性化されたＢＷＰでＲＲＣメッセージを再転送することができる。
【０２２２】
（３）新たな構成はＵＥが該当構成を受信した直後に施行できる。または、新たな構成はＲＲＣメッセージがスケジューリングされ、Ｋスロット（または、ｋ  ｍｓ）以後（例えば、ＲＲＣメッセージから２０ｍｓ）に施行できる。曖昧性はネットワークにより処理できる。例えば、ネットワークは以前ＢＷＰ及び現在活性化されたＢＷＰで複数のメッセージ及び制御信号を転送することができる。
【０２２３】
（４）活性化されたＢＷＰを再構成するに当たって、フォールバックＤＣＩがスケジューリングされるＣＯＲＥＳＥＴは変更されないことがある。即ち、新しく活性化されたＢＷＰは以前に活性化されたＢＷＰと共有する少なくとも一つのＣＯＲＥＳＥＴを含むことができる。共有されたＣＯＲＥＳＥＴで、資源割り当ては以前ＢＷＰと同一なものに制限できる。
【０２２４】
８．ＲＡＲ  ＣＯＲＥＳＥＴ
【０２２５】
ビーム側面を考慮して、ＲＭＳＩ  ＣＯＲＥＳＥＴとは異なるＲＡＲのためのＣＯＲＥＳＥＴを別個に構成することが考慮できる。ＲＭＳＩとＲＡＲに対して別個のＣＯＲＥＳＥＴが構成される場合、ＲＭＳＩ  ＣＯＲＥＳＥＴはＣＯＲＥＳＥＴ０と呼ばれて、ＲＡＲ  ＣＯＲＥＳＥＴはＣＯＲＥＳＥＴ１と呼ばれることができる。インデックス１のＣＯＲＥＳＥＴ１はＲＲＣ連結の以後にも再使用できる特殊ＣＯＲＥＳＥＴとして定義できる。また、ＲＲＣ構成によりモニタリングＳＩＢ／ページングがＣＯＲＥＳＥＴ１に再構成できる。初期ＤＬ  ＢＷＰに構成されるＲＡＲのためのＣＯＲＥＳＥＴ１は次のような特徴を有することができる。
【０２２６】
−  ＣＯＲＥＳＥＴ１の構成のために、周波数領域情報が構成できる。周波数領域情報が使用可能でない場合、ＣＯＲＥＳＥＴ０と同一な周波数領域がＣＯＲＥＳＥＴ１のために使われることができる。しかしながら、ＣＯＲＥＳＥＴ０とは異なり、ＲＢＧ（ｒｅｓｏｕｒｃｅ  ｂｌｏｃｋ  ｇｒｏｕｐ）はＲＭＳＩでシグナリングされる基準ＰＲＢ０に関する情報に基づいて共通ＰＲＢインデクシングに基づいて構成できる。周波数領域の最初及び／又は最後の一部のＰＲＢが完全な６ＰＲＢより小さいことがあるので、便宜性のために該断片化された（ｆｒａｇｍｅｎｔｅｄ）ＰＲＢはＣＯＲＥＳＥＴ１に使われないことがある。ビットマップが提供される場合、初期ＤＬ  ＢＷＰ内でただ完全な６ＰＲＢのみを含むサイズのビットマップが指示できる。別に指示がない限り、ＱＣＬに対する情報はＣＯＲＥＳＥＴ０と同一でありうる。ＣＯＲＥＳＥＴ１の持続期間に対する情報は明示的に構成できる。
【０２２７】
−  ＲＥＧ（ｒｅｓｏｕｒｃｅ  ｅｌｅｍｅｎｔ  ｇｒｏｕｐ）バンドルサイズ、プリコーダ粒状度（ｇｒａｎｕｌａｒｉｔｙ）などは異に明示的に構成されない限り、ＣＯＲＥＳＥＴ０の構成に従うことができる。断片化されたＰＲＢを除外して減少したＲＢＧサイズに従うインターリーバサイズはいつも２でありうる。または、インターリーバサイズは整列されることを構成できる。
【０２２８】
−  ＤＭ−ＲＳシーケンスはＣＯＲＥＳＥＴ１のための共通ＰＲＢインデクシングに基づいて生成できる。
【０２２９】
−  ＵＥはＣＯＲＥＳＥＴ０とＣＯＲＥＳＥＴ１を同時にモニタリングできないことがある。したがって、ＲＲＣ連結の以後、ＵＥはＣＯＲＥＳＥＴ１と関連した探索領域集合でモニタリングされるＲＮＴＩの集合で構成できる。または、ＣＯＲＥＳＥＴ１が１回構成されれば、ＵＥは該当ＣＯＲＥＳＥＴ１内でＳＩ及びページングをモニタリングすることができる。即ち、ただビームスイーピング（ｂｅａｍ  ｓｗｅｅｐｉｎｇ）に従う初期ＳＩＢのみＣＯＲＥＳＥＴ０でスケジューリングされ、残りの共通データはＣＯＲＥＳＥＴ１によりスケジューリングできる。
【０２３０】
−  別に指示がない限り、ＣＯＲＥＳＥＴ１が構成されれば、ＵＥはＣＯＲＥＳＥＴ０の代わりにＣＯＲＥＳＥＴ１上でＭｓｇ４などのＵＥ特定ＲＲＣメッセージをモニタリングすることができる。ＲＲＣ連結の以後、これは再構成できる。
【０２３１】
または、ＰＲＢインデクシング、ＰＲＢグルーピングなどの側面でＣＯＲＥＳＥＴ１はＣＯＲＥＳＥＴ１と互いに異なるように取扱できる。この場合、ＳＳブロック及び／又はＲＭＳＩにより構成されたＣＯＲＥＳＥＴは特殊に取扱できる。共通ＰＲＢインデクシングが可能である以前のみにローカルＰＲＢインデクシングを使用することが好ましいことがある。したがって、ＰＲＢ０がＲＭＳＩで指示されれば、ＲＭＳＩ及び／又はＵＥ特定シグナリングにより構成されるＣＯＲＥＳＥＴは共通ＰＲＢインデクシングに従うことができる。
【０２３２】
同一な探索領域を同時にモニタリングすることで、ＣＯＲＥＳＥＴ０とＣＯＲＥＳＥＴ１が衝突する場合、ＵＥはＣＯＲＥＳＥＴ０のモニタリングを省略することができる。即ち、ＣＯＲＥＳＥＴ１が１回構成されれば、ＵＥはＣＯＲＥＳＥＴ０をモニタリングすることが要求されないことがある。
【０２３３】
ＵＥがアイドル状態にいる時、ＵＥは初期ＤＬ  ＢＷＰを再調整することができる。ページング探索領域がＣＯＲＥＳＥＴ０と関連するので、ＵＥはアイドル状態でＣＯＲＥＳＥＴ０と関連した探索領域をモニタリングすることができる。ＵＥがアイドル状態でＲＡＣＨ手続を開始すれば、ＵＥはＣＯＲＥＳＥＴ１をモニタリングすることができる。
【０２３４】
ＵＥモニタリングに対して次のものが考慮できる。
【０２３５】
−  ＲＲＣアイドル状態のＵＥ：初期ＤＬ  ＢＷＰ及びＣＯＲＥＳＥＴ０
【０２３６】
−  初期ＤＬ  ＢＷＰでＲＡＣＨ手続を遂行するＵＥ：ＣＯＲＥＳＥＴ１及びページング／ＳＩのために必要な場合、ＣＯＲＥＳＥＴ０
【０２３７】
−  他のＢＷＰまたは他のＣＯＲＥＳＥＴで再構成される前まで、ＵＥはＣＯＲＥＳＥＴ１をＣ−ＲＮＴＩ、ＳＰＳ（ｓｅｍｉ−ｐｅｒｓｉｓｔｅｎｔ  ｓｃｈｅｄｕｌｉｎｇ）、ＴＰＣ（ｔｒａｎｓｍｉｔ  ｐｏｗｅｒ  ｃｏｍｍａｎｄ）などのための基本ＣＯＲＥＳＥＴと見なすことができる。この際、ＵＥ特定ＲＮＴＩまたはグループ特定ＲＮＴＩがモニタリングできる。また、Ｍｓｇ４受信の以後にＲＮＴＩの明示的な指示無しでも、ＳＩ−ＲＮＴＩ（ｓｙｓｔｅｍ  ｉｎｆｏｒｍａｔｉｏｎ  ＲＮＴＩ）またはＰ−ＲＮＴＩ（ｐａｇｉｎｇ  ＲＮＴＩ）がＣＯＲＥＳＥＴ１でモニタリングできる。
【０２３８】
図１０は、本発明の実施形態が具現される無線通信システムを示す。
【０２３９】
ＵＥ１０００はプロセッサ（ｐｒｏｃｅｓｓｏｒ）１０１０、メモリ（ｍｅｍｏｒｙ）１０２０及び送受信部１０３０を含む。メモリ１０２０はプロセッサ１０１０と連結されて、プロセッサ１０１０を駆動するための多様な情報を格納する。送受信部１０３０はプロセッサ１０１０と連結されて、ネットワークノード１１００に無線信号を転送するか、または、ネットワークノード１１００から無線信号を受信する。プロセッサ１０１０は本明細書で説明された機能、過程及び／又は方法を具現するように構成できる。より具体的に、プロセッサ１０１０は図８でステップＳ８００からステップＳ８１０を遂行するか、またはこのために遂行するように送受信部１０３０を制御することができる。
【０２４０】
ネットワークノード１１００は、プロセッサ１１１０、メモリ１１２０及び送受信部１１３０を含む。メモリ１１２０はプロセッサ１１１０と連結されて、プロセッサ１１１０を駆動するための多様な情報を格納する。送受信部１１３０はプロセッサ１１１０と連結されて、ＵＥ１０００に無線信号を転送するか、またはＵＥ１０００から無線信号を受信する。
【０２４１】
プロセッサ１０１０、１１１０はＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ１０２０、１１２０はＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。送受信部１０３０、１１３０は無線周波数信号を処理するためのベースバンド回路を含むことができる。実施形態がソフトウェアで具現される時、前述した技法は前述した機能を遂行するモジュール（過程、機能など）で具現できる。モジュールはメモリ１０２０、１１２０に格納され、プロセッサ１０１０、１１１０により実行できる。メモリ１０２０、１１２０はプロセッサ１０１０、１１１０の内部または外部にいることができ、よく知られた多様な手段でプロセッサ１０１０、１１１０と連結できる。
【０２４２】
図１１は、図１０で図示されたＵＥのプロセッサを示す。ＵＥのプロセッサ１０１０は、変換プリコーダ１０１１、副搬送波マッパー１０１２、ＩＦＦＴ（ｉｎｖｅｒｓｅ  ｆａｓｔ  Ｆｏｕｒｉｅｒ  ｔｒａｎｓｆｏｒｍ）部及びＣＰ（ｃｙｃｌｉｃ  ｐｒｅｆｉｘ）挿入部を含む。
【０２４３】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の１つまたはそれ以上のステップが本発明の範囲に影響を及ぼさずに削除可能であることを理解することができる。
【図１】
2020517181.tif 000003
【図２】
2020517181.tif 000004
【図３】
2020517181.tif 000005
【図４】
2020517181.tif 000006
【図５】
2020517181.tif 000007
【図６】
2020517181.tif 000008
【図７】
2020517181.tif 000009
【図８】
2020517181.tif 000010
【図９】
2020517181.tif 000011
【図１０】
2020517181.tif 000012
【図１１】
2020517181.tif 000013
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
無線通信システムにおける端末（ＵＥ；ｕｓｅｒ  ｅｑｕｉｐｍｅｎｔ）により遂行する方法であって、
ＳＳ（ｓｙｎｃｈｒｏｎｉｚａｔｉｏｎ  ｓｉｇｎａｌ）ブロックとシステム帯域幅との間のオフセットに対する情報をＳＳブロックを通じてネットワークから受信し；
前記オフセットに対する情報に基づいて前記システム帯域幅のＰＲＢインデックスを決定し；
前記ＵＥに特定された帯域幅を通じて前記ネットワークからデータを受信し；
前記ネットワークから前記データを復調するための参照信号を受信すること；を含んでなり、
前記参照信号は、前記システム帯域幅の前記ＰＲＢインデックスにマッピングされるものである、方法。
【請求項２】
前記オフセットに対する情報は前記ＳＳブロックの最も低いインデックスのＰＲＢと前記システム帯域幅の最も低いインデックスのＰＲＢとの間のオフセットに対する情報であることを特徴とする、請求項１に記載の方法。
【請求項３】
前記オフセットに対する情報は前記ＳＳブロックの副搬送波０と前記システム帯域幅の副搬送波０との間のオフセットに対する情報であることを特徴とする、請求項１に記載の方法。
【請求項４】
前記オフセットに対する情報は前記ＳＳブロックの中心と前記システム帯域幅の中心との間のオフセットに対する情報であることを特徴とする、請求項１に記載の方法。
【請求項５】
前記ＳＳブロックは前記システム帯域幅に対する情報をさらに含むことを特徴とする、請求項１に記載の方法。
【請求項６】
前記システム帯域幅に対する情報は搬送波が動作している潜在的な最大帯域幅に対する情報を含むことを特徴とする、請求項１に記載の方法。
【請求項７】
前記ＳＳブロックは初期ＵＬ（ｕｐｌｉｎｋ）帯域幅部分（ＢＷＰ；ｂａｎｄｗｉｄｔｈ  ｐａｒｔ）に含まれることを特徴とする、請求項１に記載の方法。
【請求項８】
前記オフセットに対する情報はチャンネルラスター（ｒａｓｔｅｒ）又は同期ラスターの値で表現されることを特徴とする、請求項１に記載の方法。
【請求項９】
無線通信システムにおける端末（ＵＥ；ｕｓｅｒ  ｅｑｕｉｐｍｅｎｔ）であって、
メモリ；
送受信部；及び
前記メモリ及び前記送受信部と連結されるプロセッサを備えてなり、
前記プロセッサは、
ＳＳ（ｓｙｎｃｈｒｏｎｉｚａｔｉｏｎ  ｓｉｇｎａｌ）ブロックとシステム帯域幅との間のオフセットに対する情報をＳＳブロックを通じてネットワークから受信するように前記送受信部を制御し；
前記オフセットに対する情報に基づいて前記システム帯域幅に対する前記ＰＲＢ（ｐｈｙｓｉｃａｌ  ｒｅｓｏｕｒｃｅ  ｂｌｏｃｋ）インデックスを決定し；
前記ＵＥに特定された帯域幅を通じて前記ネットワークからデータを受信する前記送受信部を制御し；及び
前記ネットワークから前記データを復調するための参照信号を受信する前記送受信部を制御することを含んでなり、
前記参照信号は、前記システム帯域幅の前記ＰＲＢインデックスにマッピングされるものである、端末。
【請求項１０】
前記オフセットに対する情報は前記ＳＳブロックの最も低いインデックスのＰＲＢと前記システム帯域幅の最も低いインデックスのＰＲＢとの間のオフセットに対する情報であることを特徴とする、請求項９に記載の端末。
【請求項１１】
前記オフセットに対する情報は前記ＳＳブロックの副搬送波０と前記システム帯域幅の副搬送波０との間のオフセットに対する情報であることを特徴とする、請求項９に記載の端末。
【請求項１２】
前記オフセットに対する情報は前記ＳＳブロックの中心と前記システム帯域幅の中心との間のオフセットに対する情報であることを特徴とする、請求項９に記載の端末。
【請求項１３】
前記ＳＳブロックは前記システム帯域幅に対する情報をさらに含むことを特徴とする、請求項９に記載の端末。
【国際調査報告】
2020517181.tif 000014
2020517181.tif 000015
2020517181.tif 000016
2020517181.tif 000017